(57)【要約】【課題】人の有効視野を検出可能な構成を得る。【解決手段】視線移動関連値取得装置２２０は、被験者の視線移動に関する被験者視線移動関連値を取得し、前記取得した前記被験者視線移動関連値に対する、前記被験者の眼球運動及び頭部運動の協調運動に関する協調運動関連値を取得し、前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する。【選択図】図１４
2019034723.tif 000002
【特許請求の範囲】
【請求項１】
被験者の視線移動に関する被験者視線移動関連値を取得し、
前記取得した前記被験者視線移動関連値に対する、前記被験者の眼球運動及び頭部運動の協調運動に関する協調運動関連値を取得し、
前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する、視線移動関連値取得装置。
【請求項２】
請求項１に記載の視線移動関連値取得装置において、
継続的に、同一の被験者に関する複数のデータを含む同一被験者継続データを取得し、
前記同一被験者継続データから、前記被験者の視線移動に関する値を、前記被験者視線移動関連値として取得し、
前記同一被験者継続データから、前記取得した前記被験者視線移動関連値に対する、前記被験者の眼球運動及び頭部運動の協調運動に関する値を、前記協調運動関連値として取得する、
視線移動関連値取得装置。
【請求項３】
請求項２に記載の視線移動関連値取得装置において、
前記取得した、前記被験者の視線移動に関する前記被験者視線移動関連値に対する、前記被験者の眼球運動及び頭部運動の協調運動に関する前記協調運動関連値を、前記取得した、前記被験者の視線移動に関する前記被験者視線移動関連値の大小の順番に並べて、
前記順番に並んだ、前記被験者の眼球運動及び頭部運動の協調運動に関する前記協調運動関連値から、連続した所定数の値を抽出してそれらの代表値を算出するとともに、前記抽出された、前記被験者の眼球運動及び頭部運動の協調運動に関する前記協調運動関連値に対応する、前記被験者の視線移動に関する前記被験者視線移動関連値から、それらの代表値を算出し、
前記算出された、前記被験者の眼球運動及び頭部運動の協調運動に関する前記協調運動関連値の前記代表値と、前記算出された、前記被験者の視線移動に関する前記被験者視線移動関連値の代表値とから、前記被験者の視線移動に関する前記被験者視線移動関連値と、前記被験者の眼球運動及び頭部運動の協調運動に関する前記協調運動関連値との前記関係を得る、視線移動関連値取得装置。
【請求項４】
請求項１から３のいずれか一つに記載の視線移動関連値取得装置において、
前記被験者の視線移動に関する前記被験者視線移動関連値は、前記被験者における視線の移動量である、視線移動関連値取得装置。
【請求項５】
請求項１から４のいずれか一つに記載の視線移動関連値取得装置において、
前記被験者の眼球運動及び頭部運動の協調運動に関する前記協調運動関連値は、前記協調運動において前記頭部運動の開始が前記眼球運動の開始よりも先行する割合である頭部運動先行率、または、前記協調運動において前記頭部運動の開始のタイミングと前記眼球運動の開始のタイミングとの時間差である運動時間差である、視線移動関連値取得装置。
【請求項６】
請求項５に記載の視線移動関連値取得装置において、
前記被験者の眼球運動及び頭部運動の協調運動に関する前記協調運動関連値における前記所定の値は、前記頭部運動先行率が５０％である、視線移動関連値取得装置。
【請求項７】
被験者の視線移動に関する被験者視線移動関連値を取得する被験者視線移動関連値取得部と、
前記被験者視線移動関連値取得部によって取得された前記被験者視線移動関連値に対する、前記被験者の眼球運動及び頭部運動の協調運動に関する協調運動関連値を取得する協調運動関連値取得部と、
前記被験者視線移動関連値取得部によって取得された、前記被験者の視線移動に関する前記被験者視線移動関連値と、前記協調運動関連値取得部によって取得された、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する被験者視線移動関連値出力部と、
を有する、視線移動関連値取得装置。
【請求項８】
請求項１から７のいずれか一つに記載の視線移動関連値取得装置を備え、
前記被験者が乗員である、輸送機器。
【請求項９】
請求項８に記載の輸送機器において、
前記輸送機器の運動を計測する輸送機器運動計測部と、
前記被験者の頭部の運動を計測する頭部運動計測部と、を備え、
前記視線移動関連値取得装置は、前記頭部運動計測部によって計測された前記被験者の頭部の運動から前記輸送機器運動計測部によって計測された前記輸送機器の運動を除いて、前記被験者の視線移動に関する前記被験者視線移動関連値、及び、前記被験者の眼球運動及び頭部運動の協調運動に関する前記協調運動関連値を算出する、輸送機器。
【請求項１０】
請求項８または９に記載の輸送機器において、
前記視線移動関連値取得装置から出力された、前記被験者の視線移動に関する前記被験者視線移動関連値に対応する情報を出力する情報出力部を備える、輸送機器。
【請求項１１】
請求項８から１０のいずれか一つに記載の輸送機器において、
前記視線移動関連値取得装置から出力された、前記被験者の視線移動に関する前記被験者視線移動関連値に基づいて、前記輸送機器の動作を制御する制御装置を備える、輸送機器。
【請求項１２】
被験者の視線移動に関する被験者視線移動関連値を取得し、
前記取得した前記被験者視線移動関連値に対する、前記被験者の眼球運動及び頭部運動の協調運動に関する協調運動関連値を取得し、
前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する、視線移動関連値取得方法。
【請求項１３】
請求項１２に記載の視線移動関連値取得方法において、
継続的に、同一の被験者に関する複数のデータを含む同一被験者継続データを取得し、
前記同一被験者継続データから、前記被験者の視線移動に関する値を、前記被験者視線移動関連値として取得し、
前記取得した前記被験者視線移動関連値に対する、前記被験者の眼球運動及び頭部運動の協調運動に関する値を、前記協調運動関連値として取得する、
視線移動関連値取得方法。
【請求項１４】
請求項１３に記載の視線移動関連値取得方法において、
前記取得した、前記被験者の視線移動に関する前記被験者視線移動関連値に対する、前記被験者の眼球運動及び頭部運動の協調運動に関する前記協調運動関連値を、前記取得した、前記被験者の視線移動に関する前記被験者視線移動関連値の大小の順番に並べて、
前記順番に並んだ、前記被験者の眼球運動及び頭部運動の協調運動に関する前記協調運動関連値から、連続した所定数の値を抽出してそれらの代表値を算出するとともに、前記抽出された、前記被験者の眼球運動及び頭部運動の協調運動に関する前記協調運動関連値に対応する、前記被験者の視線移動に関する前記被験者視線移動関連値から、それらの代表値を算出し、
前記算出された、前記被験者の眼球運動及び頭部運動の協調運動に関する前記協調運動関連値の前記代表値と、前記算出された、前記被験者の視線移動に関する前記被験者視線移動関連値の代表値とから、前記被験者の視線移動に関する前記被験者視線移動関連値と、前記被験者の眼球運動及び頭部運動の協調運動に関する前記協調運動関連値との前記関係を得る、視線移動関連値取得方法。
【請求項１５】
請求項１２から１４のうちいずれか一つに記載の視線移動関連値取得方法において、
前記被験者の視線移動に関する前記被験者視線移動関連値は、前記被験者における視線の移動量である、視線移動関連値取得方法。
【請求項１６】
請求項１２から１５のいずれか一つに記載の視線移動関連値取得方法において、
前記被験者の眼球運動及び頭部運動の協調運動に関する前記協調運動関連値は、前記協調運動において前記頭部運動の開始が前記眼球運動の開始よりも先行する割合である頭部運動先行率、または、前記協調運動において前記頭部運動の開始のタイミングと前記眼球運動の開始のタイミングとの時間差である運動時間差である、視線移動関連値取得方法。
【請求項１７】
請求項１６に記載の視線移動関連値取得方法において、
前記被験者の眼球運動及び頭部運動の協調運動に関する前記協調運動関連値における前記所定の値は、前記頭部運動先行率が５０％である、視線移動関連値取得方法。
【発明の詳細な説明】
【技術分野】
【０００１】
本発明は、被験者の視線移動に関する視線移動関連値を取得する視線移動関連値取得装置、それを備えた輸送機器及び視線移動関連値取得方法に関する。
【背景技術】
【０００２】
人の眼球運動及び頭部運動に基づいて、人の状態を推定する装置として、例えば特許文献１に開示される人の状態推定装置が知られている。この人の状態推定装置は、人の眼球運動のタイミングと頭部運動のタイミングとを比較することによってこれらのタイミングの順序を判定し、その判定結果に基づいて人の内的状態を推定する。
【０００３】
具体的には、前記特許文献１に開示されている人の状態推定装置は、図１７に示すように、人の内的状態を推定する。以下で、特許文献１における段落［００６２］から段落［００８２］を引用して説明する。
【０００４】
まず、ステップＳ１及びＳ２において、眼球運動及び頭部運動の計測を行う。具体的には、アイカメラが眼球運動を測定する。測定結果は、眼球の角度の時系列データ（各時刻における眼球の回転角度に関する情報）である。
【０００５】
ジャイロセンサが頭部運動を測定する。測定結果は、頭部の角速度及び角度に関する時系列データ（各時刻における頭部の角速度及び角度に関する情報）である。
【０００６】
ここで、前記アイカメラ及び前記ジャイロセンサは同時計測を行う。これにより、各時系列データの時刻を容易に同期させることができる。
【０００７】
次に、ステップＳ３において、眼球運動のタイミングの特定を行う。具体的には、眼球運動タイミング特定部が、前記アイカメラの測定結果に基づいて眼球運動のタイミングを特定する。所定の条件を満たす眼球運動を選別し、選別された眼球運動のタイミングを特定する。以下では、眼球運動を抽出する処理と、眼球運動のタイミングを特定する処理とに分けて説明する。
【０００８】
眼球運動を抽出する処理では、サッカード眼球運動（Ｓａｃｃａｄｅ、Ｓａｃｃａｄｉｃ  ｅｙｅ  ｍｏｖｅｍｅｎｔ）を選別する。サッカード眼球運動は、「急速眼球運動」とも呼ばれ、眼球を素早く移動させる眼球運動である。
【０００９】
サッカード眼球運動を、眼球の移動量が所定の値Ｄｅ以上であり、かつ、眼球の角速度が所定の角速度Ｒｅ以上である眼球運動と定義し、これらの条件を全て満たす眼球運動を抽出する。ここで、眼球の移動量は、１回の眼球運動において眼球が回転する角度であり、振幅とも呼ばれる。眼球の移動量を、眼球の角速度が所定の角速度Ｒｅを超えている期間における移動量とする。所定の値Ｄｅは、例えば３．５［ｄｅｇｒｅｅ］である。角速度Ｒｅは、例えば３０［ｄｅｇｒｅｅ／ｓｅｃ］である。
【００１０】
図１８を参照して、眼球運動を抽出する処理を例示する。図１８において、横軸は時間であり、縦軸は眼球の角速度である。図１８では、説明の便宜上、任意の一方向に対する眼球の角速度を示している。なお、眼球の角速度は、アイカメラの測定結果を時間で微分することによって得られる。
【００１１】
図１８は、複数の眼球運動ｅ１乃至ｅ７を示している。このうち、眼球の角速度が所定の角速度Ｒｅ以上である眼球運動は眼球運動ｅ５のみである。よって、その他の眼球運動ｅ１乃至ｅ４、ｅ６、ｅ７を抽出しない（除外する）。眼球運動ｅ５に関しては、眼球の移動量を求める。ここでは、眼球の角速度が所定の角速度Ｒｅを超えている時刻ｔ１から時刻ｔ２までの期間で眼球の角速度を積分することにより、眼球の移動量を得る。そして、得られた眼球の移動量が所定の値Ｄｅ以上であれば眼球運動ｅ５を抽出し、そうでなければ眼球運動ｅ５を抽出しない。
【００１２】
次に、眼球運動のタイミングを特定する処理を説明する。眼球運動のタイミングを眼球運動の開始時刻とする。また、前記開始時刻を、角速度が所定の角速度Ｒｅを超えている期間の始期とする。図１８に示す眼球運動ｅ５の場合、そのタイミングは時刻ｔ１であると特定される。
【００１３】
図１７に示すステップＳ４では、頭部運動のタイミングの特定を行う。具体的には、頭部運動タイミング特定部が、前記ジャイロセンサの測定結果に基づいて頭部運動タイミングを特定する。
【００１４】
前記頭部運動タイミング特定部は、頭部の角加速度の最大値が所定の角加速度Ａｈ以上である頭部運動を選別し、選別された頭部運動のタイミングを求める。ここで、頭部運動のタイミングを頭部運動の開始時刻とし、該開始時刻を頭部の角加速度が所定の閾値Ｔｈ以上である期間の始期とする。閾値Ｔｈは、例えば、０［ｄｅｇｒｅｅ／ｓｅｃ2］である。
【００１５】
図１９を参照して、頭部運動のタイミングを特定する処理を例示する。図１９において、横軸は時間であり、縦軸は頭部の角加速度である。図１９では、説明の便宜上、任意の一方向に対する頭部の角加速度を示している。
【００１６】
図１９は、複数の頭部運動ｈ１乃至ｈ６を示している。このうち、頭部運動ｈ６のみが所定の角加速度Ａｈ以上の区間を含んでいる。この頭部運動ｈ６において角加速度が閾値Ｔｈを超えている期間は、時刻ｔ３から時刻ｔ４までである。よって、時刻ｔ３を頭部運動ｈ６のタイミングとして特定する。なお、その他の頭部運動ｈ１乃至ｈ５は抽出されず、それらのタイミングも特定されない。
【００１７】
図１７に示すステップＳ５では、タイミング順序の判定を行う。具体的には、タイミング比較・推定部は、眼球運動及び頭部運動の各タイミングを比較し、それらの順序を判定する。
【００１８】
図２０を参照する。図２０は、眼球運動のタイミングと頭部運動のタイミングを示す図である。図２０は、図１８、図１９を重ね合わせたものである。各タイミングが図２０に示す関係にある場合、眼球運動のタイミング（開始時刻ｔ１）が頭部運動のタイミング（開始時刻ｔ３）よりも先であると判定する。これにより、視認行動が眼球先行型であることが判明する。
【００１９】
上述したとおり、この順序情報は、ライダーの内的状態を示す評価指標である。例えば、眼球先行型を示す順序情報は、ライダーの注意（ａｔｔｅｎｔｉｏｎ）レベルが比較的に高いこと（または、そのように推定できること）を意味する。他方、頭部先行型を示す順序情報は、ライダーの注意レベルが比較的に低いことを意味する。「注意レベルが比較的に高い」状態とは、特定の事象に対して過大な注意を向けている状態ではなく、様々な事象に対して注意を向けることができる状態である。また、「注意レベルが比較的に低い」状態とは、特定の事象(複数の事象も含む)に対して過大な注意が向けられ、その他の事象に対しての注意がおろそかになる状態である。
【００２０】
タイミング比較・推定部は、順序情報を記憶部に記憶させるとともに、出力選択部に順序情報を出力する。
【００２１】
図１７に示すステップＳ６では、ライダーへの情報提示または制御パラメータの変更を行う。具体的には、前記出力選択部は、順序情報に基づいて情報の提示及び制御パラメータの変更に関して選択し、表示部、抵抗力調整部、振動発生部、音声出力部及びＥＣＵに適宜に命令を出力する。選択の結果、前記表示部、前記抵抗力調整部、前記振動発生部、前記音声出力部及び前記ＥＣＵの全部または一部に命令が出力される場合のみならず、いずれにも命令が出力されない場合もある。
【００２２】
前記出力選択部が前記表示部、前記抵抗力調整部、前記振動発生部及び前記音声出力部の少なくともいずれかに命令を出力した場合、ライダーの内的状態の推定結果またはライダーへのアドバイス等に関する情報を提示する。例えば、前記表示部は、ライダーの内的状態の推定結果を示す数値またはグラフなどを表示してもよい。前記抵抗力調整部は、アクセルグリップの回転に対する抵抗力を可変してもよい。前記振動発生部は、シートを振動させてもよい。前記音声出力部は、「そろそろ休憩しましょう」等の音声を出力してもよい。
【００２３】
前記出力選択部が前記ＥＣＵに命令を出力した場合、前記ＥＣＵは鞍乗型車両の制御パラメータを変更する。この制御パラメータの変更によって、前記鞍乗型車両の操縦性（操縦のしやすさ）を強制的に調整する。例えば、前記鞍乗型車両の操縦性を簡易化して、ライダーの負担を低減させてもよい。また、予め初心者モードや習熟者モードが設定されている場合には、それらのモードを切り替えてもよい。
【００２４】
そして、ステップＳ１に戻り、上述した一連の処理を繰り返す。
【００２５】
このように、視認行動が眼球先行型であるか頭部先行型であるかによってライダーの内的状態を推測できるという知見に基づき、比較的に簡易に測定できる眼球運動及び頭部運動のみを生体情報として採用している。これにより、アイカメラ及びジャイロセンサのような簡易なセンサで、眼球運動及び頭部運動を測定することができる。さらに、タイミング比較・推定部は、眼球運動及び頭部運動の各タイミングの順序を判定するといった比較的に簡素な処理によって、ライダーの内的状態が反映された順序情報を得ることができる。このように、簡易に計測できる生体情報に基づいてライダーの内的状態を簡易に推定することができる。
【００２６】
また、前記特許文献１には、眼球運動及び頭部運動の各タイミングの時間差が、順序情報に比べてライダーの内的状態をより詳しく示す評価指標であることが開示されている。
【００２７】
一方、眼球運動及び頭部運動は、人の内的状態に応じて変化する有効視野にも関係していることが知られている。このような関係について記載された文献として、例えば非特許文献１などが知られている。この非特許文献１には、眼球運動と頭部運動との時間差から有効視野を検出可能であることが示唆されている。
【先行技術文献】
【特許文献】
【００２８】
【特許文献１】特開２０１４−１１３２２７号公報
【非特許文献】
【００２９】
【非特許文献１】森島圭祐、外３名、「眼球・頭部協調運動と有効視野の関係」、日本経営工学会論文誌、日本経営工学会、２０１６年、Ｖｏｌ．６７、Ｎｏ．３、ｐ．２５２−２６０
【発明の概要】
【発明が解決しようとする課題】
【００３０】
有効視野は、人の内的状態に関係しているため、人の内的状態を把握するために、有効視野を検出することは有効である。しかしながら、人の内的状態の変化は個人差が大きく、しかも、人の内的状態は、その人が置かれている状況に応じて大きく変化する。そのため、内的状態に応じて変化する有効視野の検出は困難であった。
【００３１】
本発明は、人の有効視野を検出可能な構成を得ることを目的とする。
【課題を解決するための手段】
【００３２】
本発明者らは、上述の特許文献１のような眼球運動及び頭部運動を用いた人の内的状態を推定する方法について鋭意検討する中で、上述の非特許文献１に開示されるように眼球運動及び頭部運動を用いることによって有効視野を相対的に評価可能であることを見出した。
【００３３】
しかしながら、人の内的状態の変化は個人差が大きく、しかも、人の内的状態は、その人が置かれている状況に応じて大きく変化する。そのため、内的状態によって変化する有効視野の検出は困難であった。
【００３４】
本発明者らは、人の内的状態の変化における個人差の影響について検討を進める中で、被験者からデータを取得することにより、該被験者の個人の特性を考慮したデータを取得できることに気付いた。
【００３５】
具体的には、本発明者は、以下のような構成に想到した。
【００３６】
本発明の一実施形態に係る視線移動関連値取得装置は、被験者の視線移動に関する被験者視線移動関連値を取得し、前記取得した前記被験者視線移動関連値に対する、前記被験者の眼球運動及び頭部運動の協調運動に関する協調運動関連値を取得し、前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する。
【００３７】
これにより、被験者の被験者視線移動関連値及び協調運動関連値を取得できる。しかも、前記被験者視線移動関連値と前記協調運動関連値との関係において、前記協調運動関連値が所定の値の場合における前記被験者視線移動関連値を出力することにより、被験者の視線移動に関連する指標を得ることができる。そして、このような被験者の視線移動に関連する指標から、該被験者の有効視野に関連する指標を得ることが可能になる。
【００３８】
他の観点によれば、本発明の視線移動関連値取得装置は、以下の構成を含むことが好ましい。継続的に、同一の被験者に関する複数のデータを含む同一被験者継続データを取得し、前記同一被験者継続データから、前記被験者の視線移動に関する値を、前記被験者視線移動関連値として取得し、前記同一被験者継続データから、前記取得した前記被験者視線移動関連値に対する、前記被験者の眼球運動及び頭部運動の協調運動に関する値を、前記協調運動関連値として取得する。
【００３９】
これにより、被験者の個人差の影響が少ない被験者視線移動関連値及び協調運動関連値を取得できる。しかも、前記被験者視線移動関連値と前記協調運動関連値との関係において、前記協調運動関連値が所定の値の場合における前記被験者視線移動関連値を出力することにより、個人差の影響を受けることなく被験者の視線移動に関連する指標を得ることができる。そして、このような被験者の視線移動に関連する指標から、該被験者の有効視野に関連する指標を得ることが可能になる。
【００４０】
他の観点によれば、本発明の視線移動関連値取得装置は、以下の構成を含むことが好ましい。視線移動関連値取得装置は、前記取得した、前記被験者の視線移動に関する前記被験者視線移動関連値に対する、前記被験者の眼球運動及び頭部運動の協調運動に関する前記協調運動関連値を、前記取得した、前記被験者の視線移動に関する前記被験者視線移動関連値の大小の順番に並べて、前記順番に並んだ、前記被験者の眼球運動及び頭部運動の協調運動に関する前記協調運動関連値から、連続した所定数の値を抽出してそれらの代表値を算出するとともに、前記抽出された、前記被験者の眼球運動及び頭部運動の協調運動に関する前記協調運動関連値に対応する、前記被験者の視線移動に関する前記同一被験者視線移動関連値から、それらの代表値を算出し、前記算出された、前記被験者の眼球運動及び頭部運動の協調運動に関する前記協調運動関連値の前記代表値と、前記算出された、前記被験者の視線移動に関する前記被験者視線移動関連値の代表値とから、前記被験者の視線移動に関する前記被験者視線移動関連値と、前記被験者の眼球運動及び頭部運動の協調運動に関する前記協調運動関連値との前記関係を得る。
【００４１】
これにより、被験者視線移動関連値と協調運動関連値との関係を容易に得ることができる。よって、個人差の影響を受けることなく被験者の有効視野に関連する指標を容易に得ることができる。
【００４２】
他の観点によれば、本発明の視線移動関連値取得装置は、以下の構成を含むことが好ましい。前記被験者の視線移動に関する前記被験者視線移動関連値は、前記被験者における視線の移動量である。
【００４３】
これにより、被験者の有効視野に関連するパラメータとして、前記被験者の眼球運動及び頭部運動の協調運動に関する協調運動関連値が所定の値の場合における視線の移動量（視線移動量）を求めることができる。
【００４４】
他の観点によれば、本発明の視線移動関連値取得装置は、以下の構成を含むことが好ましい。前記被験者の眼球運動及び頭部運動の協調運動に関する前記協調運動関連値は、前記協調運動において前記頭部運動が前記眼球運動よりも先行する割合である頭部運動先行率、または、前記協調運動において前記頭部運動の開始のタイミングと前記眼球運動の開始のタイミングとの時間差である運動時間差である。
【００４５】
被験者の眼球運動及び頭部運動の協調運動において、前記頭部運動が前記眼球運動よりも先行する頭部運動先行率、または、前記頭部運動の開始のタイミングと前記眼球運動の開始のタイミングとの時間差である運動時間差は、人の内的状態によって変化する。そのため、前記頭部運動先行率または前記運動時間差をパラメータとして、前記頭部運動先行率または前記運動時間差が所定の値の場合における前記被験者の視線移動に関する被験者視線移動関連値を求めることにより、人の内的状態に関係する有効視野を検出することが可能になる。
【００４６】
他の観点によれば、本発明の視線移動関連値取得装置は、以下の構成を含むことが好ましい。前記被験者の眼球運動及び頭部運動の協調運動に関する前記協調運動関連値における前記所定の値は、前記頭部運動先行率が５０％である。
【００４７】
これにより、頭部運動先行率をパラメータとして、人の内的状態に関係する有効視野を精度良く検出することができる。
【００４８】
本発明の一実施形態に係る視線移動関連値取得装置は、被験者の視線移動に関する被験者視線移動関連値を取得する被験者視線移動関連値取得部と、前記被験者視線移動関連値取得部によって取得された前記被験者視線移動関連値に対する、前記被験者の眼球運動及び頭部運動の協調運動に関する協調運動関連値を取得する協調運動関連値取得部と、前記被験者視線移動関連値取得部によって取得された、前記被験者の視線移動に関する前記被験者視線移動関連値と、前記協調運動関連値取得部によって取得された、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する被験者視線移動関連値出力部と、を有する。
【００４９】
本発明の一実施形態に係る輸送機器は、前記被験者が乗員である。被験者が輸送機器の乗員の場合に、上述の視線移動関連値取得装置を用いて、個人差の影響を受けることなく乗員の視線移動に関連する指標を得ることができる。よって、このような乗員の視線移動に関連する指標から、該乗員の有効視野に関連する指標を得ることが可能になる。
【００５０】
他の観点によれば、本発明の輸送機器は、以下の構成を含むことが好ましい。輸送機器は、前記輸送機器の運動を計測する輸送機器運動計測部と、前記被験者の頭部の運動を計測する頭部運動計測部と、を備える。前記視線移動関連値取得装置は、前記頭部運動計測部によって計測された前記被験者の頭部の運動から前記輸送機器運動計測部によって計測された前記輸送機器の運動を除いて、前記被験者の視線移動に関する前記被験者視線移動関連値、及び、前記被験者の眼球運動及び頭部運動の協調運動に関する前記協調運動関連値を算出する。
【００５１】
これにより、輸送機器の乗員である被験者の頭部運動の計測値から、前記輸送機器の運動によって前記計測値が影響を受けている分を除くことができる。よって、前記被験者の有効視野をより精度良く検出することができる。
【００５２】
他の観点によれば、本発明の輸送機器は、以下の構成を含むことが好ましい。前記視線移動関連値取得装置から出力された、前記被験者の視線移動に関する前記被験者視線移動関連値に対応する情報を出力する情報出力部を備える。
【００５３】
これにより、被験者の有効視野に関するパラメータとして、視線移動関連値取得装置によって得られた被験者視線移動関連値に基づいて、前記被験者等に情報を通知することができる。したがって、前記被験者等に内的状態等を通知することが可能になる。
【００５４】
他の観点によれば、本発明の輸送機器は、以下の構成を含むことが好ましい。前記視線移動関連値取得装置から出力された、前記被験者の視線移動に関する前記被験者視線移動関連値に基づいて、前記輸送機器の動作を制御する制御装置を備える。
【００５５】
これにより、被験者の有効視野に関するパラメータとして、視線移動関連値取得装置によって得られた被験者視線移動関連値に基づいて、前記被験者が乗員である輸送機器の動作を制御することができる。したがって、前記被験者の内的状態等に応じて前記輸送機器の動作を制御することが可能になる。
【００５６】
本発明の一実施形態に係る視線移動関連値取得方法は、被験者の視線移動に関する被験者視線移動関連値を取得し、前記取得した前記被験者視線移動関連値に対する、前記被験者の眼球運動及び頭部運動の協調運動に関する協調運動関連値を取得し、前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する。
【００５７】
他の観点によれば、本発明の視線移動関連値取得方法は、以下の構成を含むことが好ましい。継続的に、同一の被験者に関する複数のデータを含む同一被験者継続データを取得し、前記同一被験者継続データから、前記被験者の視線移動に関する値を、前記被験者視線移動関連値として取得し、前記取得した前記被験者視線移動関連値に対する、前記被験者の眼球運動及び頭部運動の協調運動に関する値を、前記協調運動関連値として取得する。
【００５８】
他の観点によれば、本発明の視線移動関連値取得方法は、以下の構成を含むことが好ましい。視線移動関連値取得方法は、前記取得した、前記被験者の視線移動に関する前記被験者視線移動関連値に対する、前記被験者の眼球運動及び頭部運動の協調運動に関する前記協調運動関連値を、前記取得した、前記被験者の視線移動に関する前記被験者視線移動関連値の大小の順番に並べて、前記順番に並んだ、前記被験者の眼球運動及び頭部運動の協調運動に関する前記協調運動関連値から、連続した所定数の値を抽出してそれらの代表値を算出するとともに、前記抽出された、前記被験者の眼球運動及び頭部運動の協調運動に関する前記協調運動関連値に対応する、前記被験者の視線移動に関する前記被験者視線移動関連値から、それらの代表値を算出し、前記算出された、前記被験者の眼球運動及び頭部運動の協調運動に関する前記協調運動関連値の前記代表値と、前記算出された、前記被験者の視線移動に関する前記被験者視線移動関連値の代表値とから、前記被験者の視線移動に関する前記被験者視線移動関連値と、前記被験者の眼球運動及び頭部運動の協調運動に関する前記協調運動関連値との前記関係を得る。
【００５９】
他の観点によれば、本発明の視線移動関連値取得方法は、以下の構成を含むことが好ましい。前記被験者の視線移動に関する前記被験者視線移動関連値は、前記被験者における視線の移動量である。
【００６０】
他の観点によれば、本発明の視線移動関連値取得方法は、以下の構成を含むことが好ましい。前記被験者の眼球運動及び頭部運動の協調運動に関する前記協調運動関連値は、前記協調運動において前記頭部運動が前記眼球運動よりも先行する割合である頭部運動先行率、または、前記協調運動において前記頭部運動の開始のタイミングと前記眼球運動の開始のタイミングとの時間差である運動時間差である。
【００６１】
他の観点によれば、本発明の視線移動関連値取得方法は、以下の構成を含むことが好ましい。前記被験者の眼球運動及び頭部運動の協調運動に関する前記協調運動関連値における前記所定の値は、前記頭部運動先行率が５０％である。
【００６２】
本明細書で使用される専門用語は、特定の実施例のみを定義する目的で使用されるのであって、前記専門用語によって発明を制限する意図はない。
【００６３】
本明細書で使用される「及び／または」は、一つまたは複数の関連して列挙された構成物のすべての組み合わせを含む。
【００６４】
本明細書において、「含む、備える（ｉｎｃｌｕｄｉｎｇ）」「含む、備える（ｃｏｍｐｒｉｓｉｎｇ）」または「有する（ｈａｖｉｎｇ）」及びそれらの変形の使用は、記載された特徴、工程、要素、成分、及び／または、それらの等価物の存在を特定するが、ステップ、動作、要素、コンポーネント、及び／または、それらのグループのうちの１つまたは複数を含むことができる。
【００６５】
本明細書において、「取り付けられた」、「接続された」、「結合された」、及び／または、それらの等価物は、広義の意味で使用され、“直接的及び間接的な”取り付け、接続及び結合の両方を包含する。さらに、「接続された」及び「結合された」は、物理的または機械的な接続または結合に限定されず、直接的または間接的な接続または結合を含むことができる。
【００６６】
他に定義されない限り、本明細書で使用される全ての用語（技術用語及び科学用語を含む）は、本発明が属する技術分野の当業者によって一般的に理解される意味と同じ意味を有する。
【００６７】
一般的に使用される辞書に定義された用語は、関連する技術及び本開示の文脈における意味と一致する意味を有すると解釈されるべきであり、本明細書で明示的に定義されていない限り、理想的または過度に形式的な意味で解釈されることはない。
【００６８】
本発明の説明においては、いくつもの技術及び工程が開示されていると理解される。これらの各々は、個別の利益を有し、他に開示された技術の１つ以上、または、場合によっては全てと共に使用することもできる。
【００６９】
したがって、明確にするために、本発明の説明では、不要に個々のステップの可能な組み合わせをすべて繰り返すことを控える。しかしながら、本明細書及び特許請求の範囲は、そのような組み合わせがすべて本発明の範囲内であることを理解して読まれるべきである。
【００７０】
本明細書では、本発明に係る視線移動関連値取得装置の実施形態について説明する。
【００７１】
以下の説明では、本発明の完全な理解を提供するために多数の具体的な例を述べる。しかしながら、当業者は、これらの具体的な例がなくても本発明を実施できることが明らかである。
【００７２】
よって、以下の開示は、本発明の例示として考慮されるべきであり、本発明を以下の図面または説明によって示される特定の実施形態に限定することを意図するものではない。
【００７３】
［有効視野］
本明細書において、有効視野とは、被験者が、視野において視対象を捉える行動において、有効に活用されている視覚情報を収集可能な範囲である。
【００７４】
［代表値］
本明細書において、代表値とは、複数の値の平均値または中央値などのように、前記複数の値を代表して用いることが可能な値を意味する。
【００７５】
［視線移動量］
本明細書において、視線移動量とは、眼球の移動量である眼球移動量と、頭部の移動量である頭部移動量との和によって求められる値である。
【００７６】
［眼球運動］
本明細書において、眼球運動とは、頭部に対する眼球の運動を意味する。すなわち、前記眼球運動は、頭部に対する眼球の移動を意味する。前記眼球運動は、例えば眼球の回転角速度の絶対値が閾値α（例えば３０ｄｅｇ／ｓｅｃ）以上で且つ該回転角速度を積分することによって得られる運動量の絶対値が閾値β（例えば、３．５ｄｅｇ）以上のサッカード眼球運動（Ｓａｃｃａｄｅ、Ｓａｃｃａｄｉｃ  ｅｙｅ  ｍｏｖｅｍｅｎｔ）を含む。
【００７７】
［頭部運動］
本明細書において、頭部運動は、上下左右の絶対座標において頭部が移動または回転した際の頭部の運動を意味する。すなわち、前記頭部運動は、胴体に対して頭部が移動または回転した際の頭部の運動と、頭部が胴体と一緒に移動または回転した際の頭部の運動と、頭部及び胴体がそれぞれ移動または回転した際の頭部の運動と、を含む。
【００７８】
［眼球運動の開始］
本明細書において、眼球運動の開始とは、眼球の運動に関するパラメータが、所定の閾値を越えた時点を意味する。
【００７９】
［頭部運動の開始］
本明細書において、頭部運動の開始とは、頭部の運動に関するパラメータが所定の閾値を越えた時点を意味する。
【００８０】
［眼球運動及び頭部運動の協調運動］
本明細書において、眼球運動及び頭部運動の協調運動とは、被験者が視対象を視認する際の視認行動において、眼球運動及び頭部運動の少なくとも一方を含む運動である。
【００８１】
［継続的に取得］
本明細書において、データを継続的に取得とは、前記被験者の視線移動に関する被験者視線移動関連値と、前記被験者の眼球運動及び頭部運動の協調運動に関する協調運動関連値との関係が得られるような期間、継続してデータを取得することを意味する。
【００８２】
［輸送機器］
本明細書において、輸送機器とは、自動二輪車に限らず、三輪車または四輪車などの車両、船舶、航空機など、乗員が運転操作することにより、人または荷物などの輸送対象を輸送可能な機器を意味する。
【発明の効果】
【００８３】
本発明の一実施形態によれば、人の有効視野を検出可能な構成が得られる。
【図面の簡単な説明】
【００８４】
【図１】図１は、本発明の実施形態１に係る視線移動関連値取得装置を備えた車両の概略構成を示す図である。
【図２】図２は、車両を運転する乗員の有効視野を模式的に示す図である。
【図３】図３は、視認行動の一例を模式的に示す図である。
【図４】図４は、視線移動関連値取得装置の構成を示す機能ブロック図である。
【図５】図５は、眼球の回転角速度の時間変化の一例を示す図である。
【図６】図６は、頭部の回転角速度の時間変化の一例を示す図である。
【図７】図７は、先行運動情報及び視線移動量のデータ処理を模式的に示す図である。
【図８】図８は、頭部運動先行率及び視線移動量の関係の一例を示すグラフである。
【図９】図９は、頭部運動先行率及び視線移動量の関係を示すグラフにおいて、近似曲線を示す図である。
【図１０】図１０は、視線移動関連値取得装置の動作を示すフローチャートである。
【図１１】図１１は、実施形態２に係る視線移動関連値取得装置の構成を示す機能ブロック図である。
【図１２】図１２は、実施形態２に係る視線移動関連値取得装置の動作を示すフローチャートである。
【図１３】図１３は、実施形態１に係る視線移動関連値取得装置の構成を示す機能ブロック図、及び、頭部運動先行率及び視線移動量の関係の一例を示すグラフである。
【図１４】図１４は、実施形態３に係る視線移動関連値取得装置の構成を示す機能ブロック図である。
【図１５】図１５は、実施形態３に係る視線移動関連値取得装置の動作を示すフローチャートである。
【図１６】図１６は、実施形態４に係る視線移動関連値取得装置の構成を示す機能ブロック図である。
【図１７】図１７は、従来例における状態推定装置の処理手順を示すフローチャートである。
【図１８】図１８は、従来例における眼球運動の角速度と時間との関係を示す図である。
【図１９】図１９は、従来例における頭部運動の角加速度と時間との関係を示す図である。
【図２０】図２０は、従来例における眼球運動のタイミング及び頭部運動のタイミングを示す図である。
【発明を実施するための形態】
【００８５】
以下で、各実施形態について、図面を参照しながら説明する。なお、各図中の構成部材の寸法は、実際の構成部材の寸法及び各構成部材の寸法比率等を忠実に表したものではない。
【００８６】
以下では、輸送機器の一例として、自動二輪車を用いて説明する。そのため、以下では、図中の矢印Ｆは、自動二輪車の前方向を示す。図中の矢印Ｕは、自動二輪車の上方向を示す。また、前後左右の方向は、それぞれ、自動二輪車を運転する乗員から見た場合の前後左右の方向を意味する。
【００８７】
（実施形態１）
＜全体構成＞
図１に、本発明の実施形態１に係る視線移動関連値取得装置２０を備えた車両１（輸送機器）の概略構成を示す。本実施形態では、車両１は、一般的な構成を有する自動二輪車である。なお、車両１は、自動二輪車に限らず、三輪車または四輪車などの車両であってもよい。
【００８８】
車両１は、車体２と、前輪３と、後輪４とを有する。車体２は、ハンドル６、シート７及びパワーユニット８等の各構成部品を支持する。車体２は、フレーム１０と、一対のフロントフォーク１５とを有する。このフレーム１０が、ハンドル６、シート７及びパワーユニット８等の各構成部品を支持する。
【００８９】
フレーム１０は、ヘッドパイプ１１と、メインフレーム１２と、シートレール１３と、スイングアーム１４とを有する。
【００９０】
ヘッドパイプ１１は、車両１の前部に位置し、ハンドル６に接続されたステアリングシャフト（図示省略）を回転可能に支持する。メインフレーム１２は、ヘッドパイプ１１から車両後方に向かって延びるように、ヘッドパイプ１１に接続されている。メインフレーム１２は、パワーユニット８等を支持する。
【００９１】
前記ステアリングシャフトの下端部には、一対のフロントフォーク１５が接続されている。一対のフロントフォーク１５の下端部には、前輪３が回転可能に支持されている。これにより、ハンドル６を操作することにより、ステアリングシャフト及び一対のフロントフォーク１５が前記ステアリングシャフトを中心として一体に回転するため、前輪３も前記ステアリングシャフトを中心として回転する。
【００９２】
一対のフロントフォーク１５の下端部と前輪３との間には、前輪ブレーキ１６が配置されている。前輪ブレーキ１６は、例えば、ハンドル６に設けられた図示しないブレーキレバーの操作によって作動する。
【００９３】
シートレール１３は、メインフレーム１２の上部の後部分に、車両後方に向かって延びるように接続されている。シートレール１３は、シート７を支持する。
【００９４】
スイングアーム１４は、メインフレーム１２の下部の後部分に、上下方向に回転可能に支持されている。スイングアーム１４の後端部には、後輪４が回転可能に支持されている。スイングアーム１４と後輪４との間には、後輪ブレーキ１７が配置されている。後輪ブレーキ１７は、例えば、図示しないブレーキペダルの操作によって作動する。
【００９５】
また、車両１は、ＥＣＵ９（Ｅｌｅｃｔｒｉｃ  Ｃｏｎｔｒｏｌ  Ｕｎｉｔ：電子制御ユニット）と、情報出力部１８と、視線移動関連値取得装置２０とを有する。
【００９６】
ＥＣＵ９は、車体２における制御対象の各構成部品を制御する。すなわち、ＥＣＵ９は、制御パラメータによって、車体２における制御対象の各構成部品の動作を制御する。ＥＣＵ９は、車体２において、シート７の下方に配置されている。なお、後述するように、ＥＣＵ９は、視線移動関連値取得装置２０の出力に応じて、車体２における制御対象の各構成部品の動作を制御する。
【００９７】
情報出力部１８は、視線移動関連値取得装置２０の出力結果を、車両１を運転する乗員に伝達する。本実施形態では、情報出力部１８は、例えば、ディスプレイ、音声出力装置などを含む。なお、車両１は、視線移動関連値取得装置２０の出力を前記乗員に対して振動等で伝える装置を備えていてもよい。
【００９８】
視線移動関連値取得装置２０は、車両１を運転する乗員（被験者）の視線移動に関連する同一被験者視線移動関連値（被験者視線移動関連値）を継続的に取得する。この同一被験者視線移動関連値は、後述するように、前記乗員（被験者）の有効視野に関連する値である。すなわち、視線移動関連値取得装置２０は、前記乗員（被験者）の有効視野に関連するパラメータを取得する。
【００９９】
視線移動関連値取得装置２０は、演算処理装置２１と、記憶部２２と、車両用ジャイロセンサ２７と、無線通信機２８とを有する。演算処理装置２１は、視線移動関連値取得装置２０において、各種演算を行う。すなわち、演算処理装置２１は、後述する図４における機能ブロックの一部を構成する。記憶部２２は、車両用ジャイロセンサ２７、後述のアイカメラ２５及び乗員用ジャイロセンサ２６で取得したデータ、及び、演算処理装置２１で行った演算結果等を格納する。演算処理装置２１、記憶部２２、車両用ジャイロセンサ２７及び無線通信機２８は、車体２において、シート７の下方に配置されている。
【０１００】
また、視線移動関連値取得装置２０は、車両１を運転する乗員が着用するヘルメット３１にそれぞれ設けられた、アイカメラ２５と、乗員用ジャイロセンサ２６と、無線通信機２９とを有する。
【０１０１】
アイカメラ２５は、ヘルメット３１の全面に形成された開口部の下部に配置されている。乗員用ジャイロセンサ２６及び無線通信機２９は、ヘルメット３１に設けられている。
【０１０２】
視線移動関連値取得装置２０の詳しい構成は後述する。
【０１０３】
（視線移動関連値と有効視野との関係）
まず、視線移動関連値取得装置２０によって取得される同一被験者視線移動関連値と、被験者の有効視野との関係について説明する。図２は、車両１を運転する乗員の有効視野を模式的に示す図である。前記有効視野は、被験者が、視野において視対象を捉える行動において、有効に活用されている視覚情報を収集可能な範囲である。
【０１０４】
人の有効視野の広さは、その人の内的状態に応じて変化する。ここで、内的状態とは、注意レベル（状態）、覚醒レベル（状態）、集中レベル（集中度）、余裕度または情報処理パフォーマンス等を意味する。さらに、前記内的状態は、精神的な状態に限らず、肉体的な状態（疲労度）も意味する。
【０１０５】
具体的には、人の有効視野は、その人の内的状態が低下するほど、狭くなる傾向にある。図２において、Ａ及びＢは、それぞれ、同一人の内的状態に応じた有効視野を模式的に示している。Ｂは、Ａに比べて内的状態が低い場合の視野の範囲を示す。図２に示すように、内的状態が低い場合の視野Ｂは、視野Ａに比べて狭い。
【０１０６】
よって、人の有効視野を検出することにより、その人の内的状態を把握できる可能性がある。本実施形態では、人の有効視野を検出するために、その人の視線移動に着目した。
【０１０７】
人は、有効視野内から得られる情報を手がかりに次に注視すべき視対象を検出し、検出した視対象に対して眼球運動及び頭部運動による視線移動を行う。有効視野内に視対象が位置している場合には、頭部運動に対して眼球運動が先行する。一方、視対象が有効視野外に位置している場合には、眼球運動に対して頭部運動が先行する。このように、有効視野内に視対象が位置しているかどうかによって、人が視対象を視認する行動（以下、視認行動という）が異なる。
【０１０８】
なお、視認行動は、眼球の運動（眼球運動）及び頭部の運動（頭部運動）の少なくとも一方を含む。眼球運動とは、頭部に対する眼球の運動を意味する。すなわち、前記眼球運動は、頭部に対する眼球の移動を意味する。前記眼球運動は、例えば眼球の回転角速度の絶対値が閾値α（例えば３０ｄｅｇ／ｓｅｃ）以上で且つ該回転角速度を積分することによって得られる運動量の絶対値が閾値β（例えば、３．５ｄｅｇ）以上のサッカード眼球運動（Ｓａｃｃａｄｅ、Ｓａｃｃａｄｉｃ  ｅｙｅ  ｍｏｖｅｍｅｎｔ）を含む。頭部運動は、上下左右の絶対座標において頭部が移動または回転した際の頭部の運動を意味する。すなわち、前記頭部運動は、胴体に対して頭部が移動または回転した際の頭部の運動と、頭部が胴体と一緒に移動または回転した際の頭部の運動と、頭部及び胴体がそれぞれ移動または回転した際の頭部の運動と、を含む。
【０１０９】
図３は、視認行動の一例を模式的に示す図である。人は、左右方向において、左右の眼球の中心線上で視対象Ｐを視認するように視認行動を行う。そのため、図３（ａ）のように、左右方向において、視対象Ｐが左の眼球及び右の眼球から等しい距離に位置する中心線Ｑ（以下、単に、左右の眼球の間の中心線という）上から外れている場合には、図３（ｂ）または図３（ｃ）に示す視認行動を行うことによって、図３（ｄ）に示すように、左右方向において、視対象Ｐを左右の眼球の間の中心線Ｑ上で視認する。
【０１１０】
なお、図３の例では、時間の経過に伴って、人の眼球及び頭部の少なくとも一方が（ａ）、（ｂ）、（ｄ）の順、または、（ａ）、（ｃ）、（ｄ）の順に移動する。また、図３では、断面ではないが、説明のために、視対象Ｐを斜線で示す。
【０１１１】
図３（ａ）に示すように、左右方向において、視対象Ｐが左右の眼球の間の中心線Ｑ上から外れている場合、人は、視対象Ｐを左右の眼球の間の中心線Ｑ上で視認するように、眼球及び頭部を移動させる。
【０１１２】
図３（ｂ）に、頭部運動が先に生じる状態を模式的に示す。この場合には、左右方向において、視対象Ｐが左右の眼球の間の中心線Ｑ上に位置するように、頭部の移動を開始させる。その後、左右の眼球の移動を開始させて、視対象Ｐを視認する（図３（ｄ））。この図３（ｂ）に示すように、視対象Ｐを左右の眼球で視認する際には、頭部運動を先に開始する場合がある。このように、眼球運動の開始よりも頭部運動の開始が時間的に先である視認行動を、「頭部先行型視認行動」、または、単に「頭部先行型」と言う。
【０１１３】
図３（ｃ）に、眼球運動が先に生じる状態を模式的に示す。この場合には、左右方向において、視対象Ｐが左右の眼球の間の中心線Ｑ上に位置するように、眼球の移動を開始させる。その後、頭部の移動を開始させる（図３（ｄ））。この図３（ｃ）に示すように、視対象Ｐを左右の眼球で視認する際には、眼球運動を先に開始する場合がある。このように、頭部運動の開始よりも眼球運動の開始が時間的に先である視認行動を、「眼球先行型視認行動」、または、単に「眼球先行型」と言う。
【０１１４】
以上のように、左右方向において、視対象Ｐが左右の眼球の間の中心線上から外れている場合に、視対象Ｐを視認する際には、視認行動として、頭部先行型視認行動と眼球先行型視認行動とがある。
【０１１５】
本発明者らは、眼球先行型視認行動は、視対象が有効視野内に位置している際に発生しやすく、頭部先行型視認行動は、視対象が有効視野内に位置していない際に発生しやすいと考えた。そのため、本発明者らは、有効視野が狭いほど、該有効視野内に視対象が位置する可能性が低くなるため、頭部先行型視認行動が多くなると考えた。
【０１１６】
このように視対象を左右の眼球の間の中心線上で視認するように視認行動を行う際に、頭部先行型視認行動であるか眼球先行型視認行動であるかは、人の有効視野によって影響を受けると考えられる。そして、既述のように、人の視野は、人の内的状態に影響を受ける。そのため、視認行動における頭部先行型視認行動及び眼球先行型視認行動を分析することにより、人の内的状態と関係する有効視野を相対的に評価できると考えられる。
【０１１７】
しかしながら、人の内的状態の変化は、個人差が大きい。しかも、人の内的状態は、その人が置かれている状況に応じて大きく変化する。そのため、上述のように、視認行動における頭部先行型視認行動の分析によって、人の内的状態を示す有効視野を相対的に評価可能であったとしても、前記内的状態によって変化する前記有効視野の検出は難しい。
【０１１８】
これに対し、本発明者らは、人の内的状態の変化における個人差の影響について検討を進める中で、同一の被験者から連続したデータを取得することにより、該同一被験者の個人の特性を考慮したデータを取得できることに気付いた。これにより、内的状態の変化における個人差の影響を考慮しつつ、有効視野を検出することができる。
【０１１９】
上述のような知見に基づいて、本実施形態の視線移動関連値取得装置２０は、同一の被験者から連続して取得されるデータを用いて、視線移動に関連する視線移動関連値としての視線移動量と、頭部運動が先行する割合（頭部運動先行率）との関係を求めるように構成される。そして、視線移動関連値取得装置２０は、前記関係から、有効視野に関連する値を出力する。
【０１２０】
以下で、視線移動関連値取得装置２０の具体的な構成を説明する。
【０１２１】
（視線移動関連値取得装置）
図４及び図１３は、視線移動関連値取得装置２０の構成を示す機能ブロック図である。
【０１２２】
視線移動関連値取得装置２０は、演算処理装置２１と、記憶部２２と、アイカメラ２５と、乗員用ジャイロセンサ２６（頭部運動計測部）と、車両用ジャイロセンサ２７（輸送機器運動計測部）と、無線通信機２８と、無線通信機２９とを有する。なお、図４では、記憶部２２の図示を省略する。
【０１２３】
アイカメラ２５は、ヘルメット３１を着用した乗員（被験者）の眼球運動を計測する。アイカメラ２５の計測結果は、無線通信機２８，２９を介して、演算処理装置２１に送信される。
【０１２４】
乗員用ジャイロセンサ２６は、ヘルメット３１を着用した乗員（被験者）の頭部運動を計測する。なお、本実施形態では、ヘルメット３１の運動を、前記乗員の頭部運動とみなしている。乗員用ジャイロセンサ２６の計測結果は、無線通信機２８，２９を介して、演算処理装置２１に送信される。
【０１２５】
車両用ジャイロセンサ２７は、旋回、前後方向の傾斜及び左右方向の傾斜などの車両１の挙動を計測する。車両用ジャイロセンサ２７の計測結果は、演算処理装置２１に入力される。
【０１２６】
演算処理装置２１は、アイカメラ２５、乗員用ジャイロセンサ２６及び車両用ジャイロセンサ２７の各測定結果に基づいて、前記乗員（被験者）の視線移動に関連する視線移動関連値を取得して出力する。具体的には、演算処理装置２１は、同一被験者継続データ取得部４１と、同一被験者視線移動関連値取得部４２（被験者視線移動関連値取得部）と、協調運動関連値取得部４３と、関係取得部４４と、有効視野関連パラメータ取得部（被験者視線移動関連値出力部）４５とを有する。
【０１２７】
同一被験者継続データ取得部４１は、アイカメラ２５、乗員用ジャイロセンサ２６及び車両用ジャイロセンサ２７から出力された各測定結果を、同一被験者継続データとして取得する。この同一被験者継続データは、アイカメラ２５によって同一被験者の眼球運動を継続的に計測することにより得られた眼球運動データと、乗員用ジャイロセンサ２６及び車両用ジャイロセンサ２７によって同一被験者の頭部運動を継続的に計測することにより得られた頭部運動データとを含む。この頭部運動データは、乗員用ジャイロセンサ２６の計測値から車両用ジャイロセンサ２７の計測値（車両挙動データ）を減算することにより得られる。これにより、車両１の挙動が、乗員（被験者）の頭部運動データに影響を与えることを防止できる。
【０１２８】
同一被験者視線移動関連値取得部４２は、同一被験者継続データ取得部４１が取得した同一被験者継続データに基づいて、乗員（被験者）の視線移動に関連する値である同一被験者視線移動関連値（被験者視線移動関連値）を取得する。具体的には、同一被験者視線移動関連値取得部４２は、前記同一被験者継続データの前記眼球運動データにおける眼球移動量を継続的に算出するとともに、前記眼球運動データに対応する前記同一被験者継続データの前記頭部運動データの頭部移動量を継続的に算出し、前記眼球移動量及び前記頭部移動量の和を継続的に求める。また、同一被験者視線移動関連値取得部４２は、被験者の頭部運動の開始のタイミングと眼球運動の開始のタイミングとを特定し、特定されたタイミングに基づいて、頭部運動及び眼球運動のいずれが先行しているかを判定する。
【０１２９】
ここで、被験者の視線移動量は、該被験者の眼球移動量と頭部移動量との合計によって表される。すなわち、本実施形態では、前記眼球移動量と前記頭部移動量との和が、被験者の視線移動量である。よって、同一被験者視線移動関連値取得部４２は、被験者の視線移動量を継続的に求める。
【０１３０】
より詳しくは、同一被験者視線移動関連値取得部４２は、眼球運動特定部５１と、頭部運動特定部５２と、運動関連付部５３と、視線移動量算出部５４と、運動先行判定部５５とを有する。
【０１３１】
眼球運動特定部５１は、同一被験者継続データ取得部４１で取得した前記同一被験者継続データの眼球運動データ（例えば、眼球の回転角速度）から、眼球運動の区間を特定するとともに、該眼球運動の開始のタイミングを特定する。具体的には、眼球運動特定部５１は、前記眼球運動データから、例えば眼球の回転角速度の絶対値が閾値α（例えば３０ｄｅｇ／ｓｅｃ）以上で且つ該回転角速度を積分することによって得られる運動量の絶対値が閾値β（例えば、３．５ｄｅｇ）以上の場合に、眼球運動として特定する。この眼球運動は、サッカード眼球運動または急速眼球運動と呼ばれる。
【０１３２】
また、眼球運動特定部５１は、検出された前記眼球運動において、最初に回転角速度の絶対値が閾値αを越えた時点を、眼球運動の開始と判断する。
【０１３３】
図５に、眼球の回転角速度の時間変化の一例を示す。この図５の例では、「眼球運動」と記載された範囲以外は、眼球の回転角速度の絶対値が閾値α未満、または、眼球の運動量の絶対値が閾値β未満であるため、眼球運動とは特定されない。
【０１３４】
頭部運動特定部５２は、同一被験者継続データ取得部４１で取得した前記同一被験者継続データの頭部運動データ（例えば、頭部の回転角速度）から、頭部運動の区間を特定するとともに、該頭部運動の開始のタイミングを特定する。具体的には、頭部運動特定部５２は、前記頭部運動データから、例えば頭部の回転角速度の絶対値が閾値γ（例えば１０ｄｅｇ／ｓｅｃ）以上で且つ該回転角速度を積分することによって得られる運動量の絶対値が閾値δ（例えば、３．５ｄｅｇ）以上の場合に、頭部運動として特定する。
【０１３５】
また、頭部運動特定部５２は、検出された前記頭部運動において、最初に回転角速度の絶対値が閾値γを越えた時点を、頭部運動の開始と判断する。
【０１３６】
図６に、頭部の回転角速度の時間変化の一例を示す。この図６の例では、「頭部運動」と記載された範囲以外は、頭部の回転角速度の絶対値が閾値γ未満、または、頭部の運動量の絶対値が閾値δ未満であるため、頭部運動とは特定されない。なお、図６には、乗員（被験者）の頭部運動データだけでなく、乗員用ジャイロセンサ２６の計測値（出力）及び車両用ジャイロセンサ２７の計測値（出力）も図示されている。
【０１３７】
運動関連付部５３は、眼球運動特定部５１で検出された眼球運動と頭部運動特定部５２で検出された頭部運動とを、それらの運動が特定されたタイミングで関連付ける。
【０１３８】
視線移動量算出部５４は、運動関連付部５３で関連付けられた眼球運動及び頭部運動において、各運動が特定された区間の運動量（回転角速度の積分値）の合計を、視線移動量として算出する。
【０１３９】
運動先行判定部５５は、運動関連付部５３で関連付けられた眼球運動及び頭部運動のうち、先行する運動を判定する。
【０１４０】
具体的には、運動先行判定部５５は、眼球運動特定部５１によって眼球運動と特定された区間内において、頭部運動特定部５２によって頭部運動と特定された運動が存在しない場合に、眼球運動が先行していると判定する。また、運動先行判定部５５は、眼球運動特定部５１によって眼球運動と特定された区間内において、頭部運動特定部５２によって頭部運動と特定された運動が存在している場合でも、眼球運動の開始が頭部運動の開始よりも早い場合には、眼球運動が先行していると判定する。
【０１４１】
一方、運動先行判定部５５は、頭部運動特定部５２によって頭部運動と特定された区間内において、眼球運動特定部５１によって眼球運動と特定された運動が存在している場合に、頭部運動の開始が眼球運動の開始よりも早い場合には、頭部運動が先行していると判定する。なお、頭部運動と特定された区間内に、眼球運動と特定された区間が存在しない場合には、被験者は一点を見ている状態（注視または停留の状態）と判断されるため、視認行動とは判定されない。
【０１４２】
運動先行判定部５５による判定結果は、視線移動量算出部５４で算出された視線移動量と紐づけされて、協調運動関連値取得部４３に出力される。すなわち、前記視線移動量は、頭部運動及び眼球運動のうち先行する運動がどちらかという情報（先行運動情報）とともに、協調運動関連値取得部４３に出力される。
【０１４３】
協調運動関連値取得部４３は、同一被験者視線移動関連値取得部４２から出力されたデータに基づいて、被験者の眼球運動及び頭部運動の協調運動に関する協調運動関連値を取得する。なお、本実施形態では、同一被験者視線移動関連値取得部４２から出力されたデータのうち、前記視線移動量が同一被験者視線移動関連値である。また、前記協調運動関連値は、同一の被験者の眼球運動及び頭部運動の協調運動に関する値であり、本実施形態では、頭部運動先行率である。
【０１４４】
具体的には、協調運動関連値取得部４３は、データ抽出部６１と、頭部運動先行率算出部６２と、視線移動量平均算出部６３とを有する。
【０１４５】
データ抽出部６１は、同一被験者視線移動関連値取得部４２から出力されたデータ、すなわち先行運動情報と視線移動量とが紐づけられたデータのうち、所定期間に取得された取得データを抽出して視線移動量の大小の順番に並べる。その後、データ抽出部６１は、視線移動量の大小の順番に並んだ取得データから、連続する所定数のデータ（演算対象データ）を抽出する。
【０１４６】
図７の左に、前記先行運動情報（図７では、単に先行運動と記載）と前記視線移動量とが紐づけられたデータのうち、所定期間に取得された取得データの一例を示す。なお、図７に示す例では、所定期間に取得されたｉ個のデータが取得データとして抽出されている。図７の右に、抽出されたｉ個の取得データを視線移動量の小さい順に並べて、それらのデータから所定数（本実施形態ではｋ個）の演算対象データを抽出する様子を示す。
【０１４７】
頭部運動先行率算出部６２は、データ抽出部６１によって抽出された所定数の取得データにおいて頭部運動が先行しているデータの割合、すなわち頭部運動先行率（代表値）を算出する。この頭部運動先行率は、前記抽出された所定数の演算対象データの数に対して、頭部運動が先行しているデータ数の割合を求めることにより得られる。
【０１４８】
視線移動量平均算出部６３は、データ抽出部６１によって抽出され且つ頭部運動先行率算出部６２によって頭部運動先行率が算出された所定数の演算対象データにおいて、視線移動量の平均値（代表値）を算出する。
【０１４９】
頭部運動先行率算出部６２で算出された頭部運動先行率と、視線移動量平均算出部６３で算出された視線移動量の平均値とは、紐づけられて出力される。
【０１５０】
なお、データ抽出部６１は、頭部運動先行率算出部６２が頭部運動先行率を算出し且つ視線移動量平均算出部６３が視線移動量の平均値を算出した後、前記抽出された所定数の演算対象データの先頭データに対して次のデータから所定数の演算対象データを抽出する。頭部運動先行率算出部６２及び視線移動量平均算出部６３は、データ抽出部６１によって所定数の演算対象データが抽出される毎に、それぞれ、頭部運動先行率及び視線移動量の平均値を算出する。
【０１５１】
具体的には、図７の右に示すように、ｉ個の取得データにおいて視線移動量が最も小さい順に所定数の演算対象データを抽出して、頭部運動先行率算出部６２が頭部運動先行率を算出し且つ視線移動量平均算出部６３が視線移動量の平均値を算出する。その後、ｉ個の取得データにおいて視線移動量が二番目に小さいデータから小さい順に所定数の演算対象データを抽出して、頭部運動先行率算出部６２が頭部運動先行率を算出し且つ視線移動量平均算出部６３が視線移動量の平均値を算出する。データ抽出部６１は、ｉ個の取得データ全てにおいて、頭部運動先行率算出部６２による頭部運動先行率の算出及び視線移動量平均算出部６３による視線移動量の平均値の算出が行われるまで、上述の動作を繰り返す。
【０１５２】
関係取得部４４は、協調運動関連値取得部４３から出力される頭部運動先行率と視線移動量の平均値とを用いて、頭部運動先行率及び視線移動量の関係を示すデータ（例えば、グラフ、テーブルなど）を作成する。このデータの一例として、図８に、頭部運動先行率及び視線移動量の関係をグラフで示す。
【０１５３】
図８に、車両１を運転する乗員の運転余裕が大きい場合における頭部運動先行率と視線移動との関係を太線で示す。一方、図８に、車両１を運転する乗員の運転余裕が小さい場合における頭部運動先行率と視線移動との関係を細線で示す。なお、車両１を運転する乗員の運転余裕が大きい場合には、前記乗員の内的状態が良好であることを意味する。一方、車両１を運転する乗員の運転余裕が小さい場合には、前記乗員の内的状態が低いことを意味する。
【０１５４】
図８に示すように、頭部運動先行率が４０％から６０％の間で、乗員の運転余裕の違い、すなわち乗員の内的状態の違いによって、視線移動量の違いが顕著になる。特に、頭部運動先行率が５０％の場合に、視線移動量の差がより顕著になる。
【０１５５】
ところで、既述のように、視対象が人の有効視野の外方に位置している場合には、頭部運動が先行する。すなわち、内的状態が低下して人の視野が狭くなると、頭部運動が先行する。よって、図８を用いて、頭部運動先行率が所定値の場合の視線移動量を評価することにより、人の視野を検出することが可能になる。なお、前記所定値は、内的状態に応じて視線移動量に差が生じる値であれば、どのような値であってもよいが、例えば４０％から６０％の間がより好ましく、５０％が特に好ましい。
【０１５６】
有効視野関連パラメータ取得部４５は、上述のような図８の特性を利用して、図８において頭部運動先行率が所定値（例えば５０％）の場合の視線移動量Ｘ、Ｙを、有効視野に関連するパラメータとして取得する。具体的には、図８において、運転余裕が大きい場合には、頭部運動先行率が所定値の場合の視線移動量はＹである。この視線移動量Ｙは、運転余裕が小さい場合の視線移動量Ｘよりも大きい。よって、頭部運動先行率が同じであっても、運転余裕が大きい場合の方が、運転余裕が小さい場合よりも有効視野が大きい。
【０１５７】
これにより、有効視野関連パラメータ取得部４５で取得された前記パラメータを用いて、人の有効視野を検出することが可能になる。なお、有効視野に関連するパラメータとして取得される前記視線移動量Ｘ、Ｙが、被験者の視線移動に関する同一被験者視線移動関連値（被験者視線移動関連値）である。
【０１５８】
なお、本実施形態では、有効視野関連パラメータ取得部４５は、図８に示すような頭部運動先行率と視線移動量との関係において、頭部運動先行率が５０％の場合の視線移動量Ｘ、Ｙを取得している。しかしながら、前記所定値は、４０％から６０％の間の値であってもよい。すなわち、有効視野関連パラメータ取得部４５は、頭部運動先行率と視線移動量との関係において、人の内的状態に応じて視線移動量の違いを検出可能な頭部運動先行率の値であれば、前記所定値として、どのような値を用いてもよい。
【０１５９】
有効視野関連パラメータ取得部４５は、図８に示すような頭部運動先行率と視線移動量との関係を示すデータにおいて、前記頭部運動先行率の前記所定値に対応する視線移動量が複数存在する場合、視線移動量が最も小さい値を有効視野に関連するパラメータとして取得してもよいし、視線移動量が最も大きい値を有効視野に関連するパラメータとして取得してもよい。また、有効視野関連パラメータ取得部４５は、上述のように前記頭部運動先行率の前記所定値に対応する視線移動量が複数存在する場合には、視線移動量が最も小さい値と最も大きい値との中間値を、有効視野に関連するパラメータとして取得してもよいし、それらの視線移動量の平均値を有効視野に関連するパラメータとして取得してもよい。
【０１６０】
また、図９に示すように、頭部運動先行率と視線移動量との関係を示すデータの近似曲線において、前記頭部運動先行率の前記所定値に対応する視線移動量Ｘ、Ｙを、有効視野に関連するパラメータとして取得してもよい。
【０１６１】
有効視野関連パラメータ取得部４５は、ＥＣＵ９及び情報出力部１８に、前記視線移動量を有効視野に関連するパラメータとして出力する。ＥＣＵ９は、有効視野関連パラメータ取得部４５から出力された値に応じて、車両１を運転する乗員の内的状態に合うように、車両１の制御対象の各構成部品を制御する。情報出力部１８は、有効視野関連パラメータ取得部４５から出力された値に応じて、前記乗員に内的状態に関する情報を通知する。
【０１６２】
（視線移動関連値取得装置の動作）
次に、視線移動関連値取得装置２０の動作について説明する。図１０に、視線移動関連値取得装置２０の動作のフローチャートを示す。
【０１６３】
図１０に示すフローがスタートすると、ステップＳＡ１で、同一被験者継続データ取得部４１が、アイカメラ２５、乗員用ジャイロセンサ２６及び車両用ジャイロセンサ２７から、それぞれ、継続的に計測された計測データを取得する。具体的には、同一被験者継続データ取得部４１は、アイカメラ２５によって計測された、同一の乗員（被験者）の眼球運動に関する眼球運動データを継続的に取得する。また、同一被験者継続データ取得部４１は、乗員用ジャイロセンサ２６によって計測された、同一の乗員（被験者）の頭部運動に関する頭部運動データを継続的に取得する。また、同一被験者継続データ取得部４１は、車両用ジャイロセンサ２７によって計測された、車両１の挙動に関する車両挙動データを継続的に取得する。
【０１６４】
次に、ステップＳＡ２で、同一被験者視線移動関連値取得部４２の眼球運動特定部５１が、同一被験者継続データ取得部４１が取得した眼球運動データに基づいて、眼球運動の特定を行うとともに、眼球運動の開始のタイミングを特定する。具体的には、眼球運動特定部５１は、前記眼球運動データから、例えば眼球の回転角速度の絶対値が閾値α以上で且つ該回転角速度を積分することによって得られる運動量の絶対値が閾値β以上の場合に、眼球運動として特定する。また、眼球運動特定部５１は、検出された前記眼球運動において、最初に回転角速度の絶対値が閾値αを越えた時点を、眼球運動の開始と判断する。
【０１６５】
また、ステップＳＡ２では、同一被験者視線移動関連値取得部４２の頭部運動特定部５２が、同一被験者継続データ取得部４１が取得した頭部運動データに基づいて、頭部運動の特定を行うとともに、頭部運動の開始のタイミングを特定する。なお、前記頭部運動データは、乗員用ジャイロセンサ２６の計測値から車両用ジャイロセンサ２７の計測値（車両挙動データ）を減算することにより得られる。
【０１６６】
具体的には、頭部運動特定部５２は、前記頭部運動データから、例えば頭部の回転角速度の絶対値が閾値γ以上で且つ該回転角速度を積分することによって得られる運動量の絶対値が閾値δ以上の場合に、頭部運動として特定する。また、頭部運動特定部５２は、検出された前記頭部運動において、最初に回転角速度の絶対値が閾値γを越えた時点を、頭部運動の開始と判断する。
【０１６７】
続くステップＳＡ３では、同一被験者視線移動関連値取得部４２の運動関連付部５３が、眼球運動特定部５１で検出された眼球運動と頭部運動特定部５２で検出された頭部運動とを、それらの運動が特定されたタイミングで関連付ける。
【０１６８】
ステップＳＡ４では、同一被験者視線移動関連値取得部４２の視線移動量算出部５４が、運動関連付部５３で関連付けられた眼球運動及び頭部運動において、各運動が特定された区間の運動量（回転角速度の積分値）の合計を、視線移動量として算出する。
【０１６９】
ステップＳＡ５では、同一被験者視線移動関連値取得部４２の運動先行判定部５５が、運動関連付部５３で関連付けられた眼球運動及び頭部運動のうち、先行する運動を判定する。
【０１７０】
具体的には、運動先行判定部５５は、眼球運動特定部５１によって眼球運動と特定された区間内において、頭部運動特定部５２によって頭部運動と特定された運動が存在しない場合に、眼球運動が先行していると判定する。また、運動先行判定部５５は、眼球運動特定部５１によって眼球運動と特定された区間内において、頭部運動特定部５２によって頭部運動と特定された運動が存在している場合でも、眼球運動の開始が頭部運動の開始よりも早い場合には、眼球運動が先行していると判定する。
【０１７１】
一方、運動先行判定部５５は、頭部運動特定部５２によって頭部運動と特定された区間内において、眼球運動特定部５１によって眼球運動と特定された運動が存在している場合に、頭部運動の開始が眼球運動の開始よりも早い場合には、頭部運動が先行していると判定する。なお、頭部運動と特定された区間内に、眼球運動と特定された区間が存在しない場合には、被験者は一点を見ている状態（注視または停留の状態）と判断されるため、視認行動とは判定されない。
【０１７２】
運動先行判定部５５による判定結果（先行運動情報）は、視線移動量算出部５４で算出された視線移動量と紐づけされる。
【０１７３】
ステップＳＡ６では、協調運動関連値取得部４３のデータ抽出部６１が、同一被験者視線移動関連値取得部４２から出力されたデータ、すなわち先行運動情報と視線移動量とが紐づけられたデータのうち、所定期間に取得された取得データを抽出する。そして、ステップＳＡ７では、データ抽出部６１が、抽出した取得データを視線移動量の大小の順番に並べて、続くステップＳＡ８では、連続して並んだ取得データから、連続する所定数の演算対象データを抽出する。
【０１７４】
ステップＳＡ９では、協調運動関連値取得部４３の頭部運動先行率算出部６２が、データ抽出部６１によって抽出された所定数の演算対象データにおいて頭部運動が先行しているデータの割合、すなわち頭部運動先行率（代表値）を算出する。
【０１７５】
ステップＳＡ１０では、協調運動関連値取得部４３の視線移動量平均算出部６３が、データ抽出部６１によって抽出され且つ頭部運動先行率算出部６２によって頭部運動先行率が算出された所定数の演算対象データにおいて、視線移動量の平均値（代表値）を算出する。
【０１７６】
ステップＳＡ１１では、データ抽出部６１が、前記所定期間の取得データを演算対象データとして全て抽出したかどうかを判定する。ステップＳＡ１１で、前記所定期間の取得データを演算対象データとして全て抽出したと判定された場合（ＹＥＳの場合）には、ステップＳＡ１２に以降に進む。一方、ステップＳＡ１１で、前記所定期間の取得データを演算対象データとして全て抽出していないと判定された場合（ＮＯの場合）には、ステップＳＡ８に戻って、データ抽出部６１は、前記所定期間の取得データから所定数の演算対象データの抽出を行う。なお、データ抽出部６１は、前記所定期間の取得データから所定数の演算対象データの抽出を行う際には、前記抽出された所定数の演算対象データの先頭データに対して次のデータから所定数の演算対象データを抽出する。
【０１７７】
ステップＳＡ１１で前記所定期間の取得データを演算対象データとして全て抽出したと判定された場合に進むステップＳＡ１２では、関係取得部４４が、頭部運動先行率と視線移動量との関係を生成する（例えば図７）。その後、ステップＳＡ１３では、有効視野関連パラメータ取得部４５が、頭部運動先行率と視線移動量との関係から、乗員（被験者）の有効視野に関連するパラメータを取得する。具体的には、有効視野関連パラメータ取得部４５は、前記頭部運動先行率の所定値（例えば５０％）に対応する視線移動量を、前記有効視野に関連するパラメータとして取得する。なお、前記所定値は、頭部運動先行率と視線移動量との関係において、人の内的状態に応じて視線移動量の違いを検出可能な頭部運動先行率の値である。
【０１７８】
ここで、ステップＳＡ１は、同一の被験者に関する複数のデータを含む同一被験者継続データを取得する同一被験者継続データ取得工程であり、ステップＳＡ４は、前記同一被験者継続データから前記被験者の視線移動に関する同一被験者視線移動関連値を取得する同一被験者視線移動関連値取得工程である。
【０１７９】
また、ステップＳＡ９は、前記取得した前記同一被験者視線移動関連値に対する、前記被験者の眼球運動及び頭部運動の協調運動に関する協調運動関連値を取得する協調運動関連値取得工程である。
【０１８０】
さらに、ステップＳＡ１３は、前記取得した、前記被験者の視線移動に関する前記同一被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記同一被験者視線移動関連値を出力する同一被験者視線移動関連値出力工程である。
【０１８１】
また、ステップＳＡ７は、前記取得した、前記被験者の視線移動に関する前記同一被験者視線移動関連値に対する、前記被験者の眼球運動及び頭部運動の協調運動に関する前記協調運動関連値を、前記取得した、前記被験者の視線移動に関する前記同一被験者視線移動関連値の大小の順番に並べる整列工程である。
【０１８２】
また、ステップＳＡ９及びＳＡ１０は、前記順番に並んだ、前記被験者の眼球運動及び頭部運動の協調運動に関する前記協調運動関連値から、連続した所定数の値を抽出してそれらの代表値を算出するとともに、前記抽出された、前記被験者の眼球運動及び頭部運動の協調運動に関する前記協調運動関連値に対応する、前記被験者の視線移動に関する前記同一被験者視線移動関連値から、それらの代表値を算出する代表値算出工程である。
【０１８３】
さらに、ステップＳＡ１２は、前記算出された、前記被験者の眼球運動及び頭部運動の協調運動に関する前記協調運動関連値の前記代表値と、前記算出された、前記被験者の視線移動に関する前記同一被験者視線移動関連値の代表値とから、前記被験者の視線移動に関する前記同一被験者視線移動関連値と、前記被験者の眼球運動及び頭部運動の協調運動に関する前記協調運動関連値との前記関係を得る関係生成工程である。
【０１８４】
本発明の実施形態において、演算処理装置２１は、図１０に示すステップＳＡ１からＳＡ１３を実行する。演算処理装置２１によってステップＳＡ１からＳＡ１３の処理を実行することにより、本実施形態における視線移動関連値取得装置２０と視線移動関連値取得方法とを実現することができる。この場合、演算処理装置２１は、例えばプロセッサによって構成されている。なお、演算処理装置２１において、図１０に示すステップＳＡ１からＳＡ１３は、プログラムによって実行されてもよい。このプログラムを用いて演算処理装置２１によってステップＳＡ１からＳＡ１３の処理を実行することにより、本実施形態における視線移動関連値取得装置２０と視線移動関連値取得方法とを実現することができる。
【０１８５】
また、本実施形態では、演算処理装置２１が取得したデータ及び演算した演算結果は、記憶部２２に記憶される。演算処理装置２１は、記憶部２２に記憶されたデータを用いて演算を行う場合には、前記データを読み込んで演算処理を行う。記憶部２２は、メモリ、ハードディスク等の記憶装置を含む記憶媒体によって構成される。
【０１８６】
本実施形態の構成では、視線移動関連値取得装置２０は、継続的に、同一の乗員（被験者）に関する複数のデータを含む同一被験者継続データを取得するとともに、該同一被験者継続データを用いて、同一被験者視線移動関連値としての視線移動量及び協調運動関連値としての頭部運動先行率を取得する。そして、視線移動関連値取得装置２０は、視線移動量と頭部運動先行率との関係から、該頭部運動先行率が所定の値の場合における前記視線移動量を出力する。
【０１８７】
これにより、被験者の個人差の影響が少ない同一被験者視線移動関連値及び協調運動関連値を取得できる。しかも、前記同一被験者視線移動関連値と前記協調運動関連値との関係において、前記協調運動関連値が所定の値の場合における前記同一被験者視線移動関連値を出力することにより、個人差の影響を受けることなく被験者の視線移動に関連する指標を得ることができる。そして、このような被験者の視線移動に関連する指標から、該被験者の有効視野に関連する指標を得ることが可能になる。
【０１８８】
本実施形態の構成を有する視線移動関連値取得装置２０によって取得された有効視野に関連するパラメータは、被験者が運動または機械の操作を行う際に利用することができる。すなわち、被験者が運動または機械の操作を行う際に、視線移動関連値取得装置２０によって有効視野に関連するパラメータを取得することにより、取得したパラメータを、運動または機械の操作を行う際の被験者の内的状態の判断などに利用することができる。また、前記取得したパラメータは、運動または機械の操作を行う際の内的状態に関し、被験者同士の相対評価等にも利用することができる。さらに、前記取得したパラメータは、仮想空間での動作または作業における被験者の内的状態の評価及び管理にも利用することができる。
【０１８９】
ここで、前記内的状態とは、注意レベル（状態）、覚醒レベル（状態）、集中レベル（集中度）、余裕度または情報処理パフォーマンス等を意味する。さらに、前記内的状態は、精神的な状態に限らず、肉体的な状態（疲労度）も意味する。
【０１９０】
［実施形態２］
図１１に、実施形態２に係る視線移動関連値取得装置１２０の機能ブロックを示す。図１２に、実施形態２に係る視線移動関連値取得装置１２０の動作のフローチャートを示す。この実施形態では、視線移動関連値取得装置１２０は、実施形態１のように頭部運動先行率と視線移動量との関係を生成するのではなく、頭部運動先行率が所定値と等しい場合に、対応する視線移動量を出力する。以下では、実施形態１と同様の構成については同一の符号を付して説明を省略し、実施形態１と異なる部分についてのみ説明する。
【０１９１】
（視線移動関連値取得装置の構成）
図１１に示すように、視線移動関連値取得装置１２０は、演算処理装置１２１と、アイカメラ２５と、乗員用ジャイロセンサ２６と、車両用ジャイロセンサ２７と、無線通信機２８と、無線通信機２９とを有する。なお、特に図示しないが、本実施形態の視線移動関連値取得装置１２０も、実施形態１の視線移動関連値取得装置２０と同様、記憶部を有する。
【０１９２】
演算処理装置１２１は、同一被験者継続データ取得部４１と、同一被験者視線移動関連値取得部４２と、協調運動関連値取得部１４３とを有する。
【０１９３】
協調運動関連値取得部１４３は、データ抽出部６１と、頭部運動先行率算出部６２と、視線移動量平均算出部１６３とを有する。
【０１９４】
視線移動量平均算出部１６３は、頭部運動先行率算出部６２で算出された頭部運動先行率が所定値と等しい場合に、該頭部運動先行率を算出した演算対象データにおける視線移動量の平均値を算出する。算出された視線移動量の平均値は、内的状態に応じた有効視野に関連するパラメータとして、情報出力部１８及びＥＣＵ９に出力される。
【０１９５】
（視線移動関連値取得装置の動作）
次に、図１２を用いて、視線移動関連値取得装置１２０の動作について説明する。なお、図１２において、ステップＳＢ１からＳＢ９は、実施形態１におけるフローのステップＳＡ１からＳＡ９と同様なので、説明を省略する。
【０１９６】
ステップＳＢ１０では、協調運動関連値取得部４３の視線移動量平均算出部６３が、所定数の演算対象データから頭部運動先行率算出部６２によって算出された頭部運動先行率が、所定値と等しいかどうかを判定する。この所定値は、実施形態１と同様、頭部運動先行率と視線移動量との関係において、人の内的状態に応じて視線移動量の違いを検出可能な頭部運動先行率の値である。前記所定値は、例えば５０％である。
【０１９７】
ステップＳＢ１０において、頭部運動先行率が所定値と等しいと判定された場合（ＹＥＳの場合）には、ステップＳＢ１１に進んで、視線移動量平均算出部６３が、データ抽出部６１によって抽出され且つ頭部運動先行率算出部６２によって頭部運動先行率が算出された所定数の演算対象データにおいて、視線移動量の平均値（代表値）を算出する。算出された視線移動量の平均値は、情報出力部１８及びＥＣＵ９に出力される。その後、このフローを終了する（エンド）。
【０１９８】
一方、ステップＳＢ１０において、頭部運動先行率が所定値と等しくないと判定された場合（ＮＯの場合）には、ステップＳＢ１２に進んで、データ抽出部６１が、所定期間の取得データを演算対象データとして全て抽出したかどうかを判定する。
【０１９９】
ステップＳＢ１２において、前記所定期間の取得データを演算対象データとして全て抽出したと判定された場合（ＹＥＳの場合）には、このフローを終了する（エンド）。
【０２００】
一方、ステップＳＢ１２で、前記所定期間のデータを全て抽出していないと判定された場合（ＮＯの場合）には、ステップＳＢ８に戻って、データ抽出部６１は、前記所定期間のデータから所定数のデータの抽出を行う。なお、実施形態１と同様、データ抽出部６１は、前記所定期間のデータから所定数のデータの抽出を行う際には、前記抽出された所定数のデータの先頭データに対して次のデータから所定数のデータを抽出する。
【０２０１】
本実施形態により、頭部運動先行率と視線移動量との関係から、前記頭部運動先行率が所定値の場合の視線移動量を求めることができる。よって、内的状態に応じて視線移動量が異なる場合に、その違いを求めることができる。したがって、頭部運動先行率と視線移動量との関係から、有効視野に関係する指標を求めることができる。
【０２０２】
［実施形態３］
図１４に、実施形態３に係る視線移動関連値取得装置２２０の機能ブロックを示す。図１５に、実施形態３に係る視線移動関連値取得装置２２０の動作のフローチャートを示す。この実施形態では、視線移動関連値取得装置２２０は、実施形態１のように継続して同一被験者視線移動関連値を取得するのではなく、被験者から取得した一つまたは複数の被験者視線移動関連値を用いて、予め被験者視線移動関連値と協調運動関連値との関係が記憶されたデータベースから有効視野関連パラメータを取得する。以下では、実施形態１と同様の構成については同一の符号を付して説明を省略し、実施形態１と異なる部分についてのみ説明する。
【０２０３】
（視線移動関連値取得装置の構成）
図１４に示すように、視線移動関連値取得装置２２０は、演算処理装置２２１と、アイカメラ２５と、乗員用ジャイロセンサ２６と、車両用ジャイロセンサ２７と、無線通信機２８と、無線通信機２９と、記憶部２２３とを有する。
【０２０４】
演算処理装置２２１は、被験者データ取得部２４１と、被験者視線移動関連値取得部２４２と、関係取得部２４４と、有効視野関連パラメータ取得部４５とを有する。
【０２０５】
被験者データ取得部２４１は、アイカメラ２５、乗員用ジャイロセンサ２６及び車両用ジャイロセンサ２７から出力された各測定結果を、被験者データとして取得する。被験者データ取得部２４１は、一つまたは複数の被験者データを取得する。この被験者データは、継続したデータでない点を除いて、実施形態１の同一被験者継続データと同様のデータであるため、詳しい説明を省略する。
【０２０６】
被験者視線移動関連値取得部２４２は、被験者データ取得部２４１が取得した一つまたは複数の被験者データに基づいて、被験者の視線移動に関連する値である一つまたは複数の被験者視線移動関連値を取得する。前記被験者視線移動関連値は、被験者の有効視野に関連する値である。具体的には、本実施形態では、前記被験者視線移動関連値は、被験者の視線移動量である。
【０２０７】
被験者視線移動関連値取得部２４２は、前記被験者視線移動関連値だけでなく、協調運動関連値も含むデータを、関係取得部２４４に出力する。前記協調運動関連値は、頭部運動及び眼球運動に関する情報を含む。具体的には、被験者視線移動関連値取得部２４２は、前記協調運動関連値として、頭部運動及び眼球運動のうち先行する運動がどちらかという情報、及び、頭部運動の開始のタイミングと眼球運動の開始のタイミングとの時間差（運動時間差）等の情報も出力する。なお、前記協調運動関連値は、実施形態１と同様に、頭部運動先行率であってもよい。
【０２０８】
関係取得部２４４は、被験者視線移動関連値取得部２４２から出力されたデータに基づいて、記憶部２２３に記憶されている複数のデータから、前記被験者視線移動関連値と前記協調運動関連値との関係を示す一つのデータを抽出する。
【０２０９】
記憶部２２３には、前記被験者視線移動関連値と前記協調運動関連値との関係を示すデータ（例えばグラフデータ、関数式、テーブルデータなど）が複数、記憶されている。具体的には、記憶部２２３には、前記複数のデータとして、被験者の様々な状態における前記被験者視線移動関連値と前記協調運動関連値との関係を示すデータが記憶されている。すなわち、記憶部２２３には、前記複数のデータとして、予め得られたデータが蓄積されている。なお、記憶部２２３には、複数の被験者の様々な状態における前記被験者視線移動関連値と前記協調運動関連値との関係を示すデータが記憶されていてもよい。
【０２１０】
よって、関係取得部２４４は、記憶部２２３に記憶されている上述の複数のデータから、被験者視線移動関連値取得部２４２から出力されたデータに適合する、前記被験者視線移動関連値と前記協調運動関連値との関係を示すデータを抽出する。
【０２１１】
有効視野関連パラメータ取得部４５は、関係取得部２４４によって抽出された、前記被験者視線移動関連値と前記協調運動関連値との関係を示すデータを用いて、被験者の有効視野に関連するパラメータを取得する。具体的には、有効視野関連パラメータ取得部４５は、運動時間差の所定値に対応する視線移動量を、前記有効視野に関連するパラメータとして取得する。なお、前記所定値は、運動時間差と視線移動量との関係において、人の内的状態に応じて視線移動量の違いを検出可能な運動時間差の値である。
【０２１２】
（視線移動関連値取得装置の動作）
次に、図１５を用いて、視線移動関連値取得装置２２０の動作について説明する。
【０２１３】
図１５に示すフローがスタートすると、ステップＳＣ１で、被験者データ取得部２４１が、アイカメラ２５、乗員用ジャイロセンサ２６及び車両用ジャイロセンサ２７から、それぞれ、計測された計測データを取得する。具体的には、被験者データ取得部２４１は、アイカメラ２５によって計測された、被験者の眼球運動に関する眼球運動データを取得する。また、被験者データ取得部２４１は、乗員用ジャイロセンサ２６によって計測された、被験者の頭部運動に関する頭部運動データを取得する。また、被験者データ取得部２４１は、車両用ジャイロセンサ２７によって計測された、車両１の挙動に関する車両挙動データを取得する。
【０２１４】
次に、ステップＳＣ２で、被験者視線移動関連値取得部２４２の眼球運動特定部５１が、被験者データ取得部２４１が取得した眼球運動データに基づいて、眼球運動の特定を行うとともに、眼球運動の開始のタイミングを特定する。眼球運動の取得、眼球運動の特定及び眼球運動の開始のタイミングの特定は、実施形態１と同様の方法によって特定されるため、詳しい説明を省略する。
【０２１５】
また、ステップＳＣ２では、被験者視線移動関連値取得部２４２の頭部運動特定部５２が、被験者データ取得部２４１が取得した頭部運動データに基づいて、頭部運動の特定を行うとともに、頭部運動の開始のタイミングを特定する。頭部運動データの取得、頭部運動の特定及び頭部運動の開始のタイミングの特定は、実施形態１と同様の方法によって特定されるため、詳しい説明を省略する。
【０２１６】
続くステップＳＣ３では、被験者視線移動関連値取得部２４２の運動関連付部５３が、眼球運動特定部５１で検出された眼球運動と頭部運動特定部５２で検出された頭部運動とを、それらの運動が特定されたタイミングで関連付ける。
【０２１７】
ステップＳＣ４では、被験者視線移動関連値取得部２４２の視線移動量算出部５４が、運動関連付部５３で関連付けられた眼球運動及び頭部運動において、各運動が特定された区間の運動量（回転角速度の積分値）の合計を、視線移動量として算出する。
【０２１８】
ステップＳＣ５では、被験者視線移動関連値取得部２４２の運動先行判定部５５が、運動関連付部５３で関連付けられた眼球運動及び頭部運動のうち先行する運動を判定するとともに、眼球運動と頭部運動との時間差を算出する。先行する運動の判定は、実施形態１と同様の方法によって判定されるため、詳しい説明を省略する。
【０２１９】
運動先行判定部５５による判定結果（先行運動情報）は、視線移動量算出部５４で算出された視線移動量と紐づけされる。
【０２２０】
ステップＳＣ６では、関係取得部２４４が、記憶部２２３に記憶されている複数のデータから、被験者視線移動関連値取得部２４２から出力されたデータに適合する、前記被験者視線移動関連値と前記協調運動関連値との関係を示すデータを抽出する。
【０２２１】
ステップＳＣ７では、有効視野関連パラメータ取得部４５が、運動時間差と視線移動量との関係から、乗員（被験者）の有効視野に関連するパラメータを取得する。具体的には、有効視野関連パラメータ取得部４５は、前記運動時間差の所定値に対応する視線移動量を、前記有効視野に関連するパラメータとして取得する。なお、前記所定値は、運動時間差と視線移動量との関係において、人の内的状態に応じて視線移動量の違いを検出可能な運動時間差の値である。
【０２２２】
ここで、ステップＳＣ４は、被験者データから被験者の視線移動に関する被験者視線移動関連値を取得する被験者視線移動関連値取得工程である。
【０２２３】
また、ステップＳＣ５は、前記取得した前記被験者視線移動関連値に対する、前記被験者の眼球運動及び頭部運動の協調運動に関する協調運動関連値を取得する協調運動関連値取得工程である。
【０２２４】
さらに、ステップＳＣ７は、前記取得した、前記被験者の視線移動に関する前記被験者視線移動関連値と、前記取得した、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力する被験者視線移動関連値出力工程である。
【０２２５】
本実施形態により、実施形態１のように同一の被験者の眼球運動及び頭部運動を継続的に計測することなく、記憶部２２３に記憶されている頭部運動先行率と視線移動量との関係から、前記頭部運動先行率が所定値の場合の視線移動量を求めることができる。よって、有効視野に関係する指標を容易に求めることができる。
【０２２６】
［実施形態４］
図１６に、実施形態４に係る視線移動関連値取得装置３２０の機能ブロックを示す。この実施形態では、視線移動関連値取得装置３２０は、乗員の視線を検出可能なアイカメラ３２５が車両のメータパネルに設けられている点で、実施形態１の構成とは異なる。以下では、実施形態１と同様の構成については同一の符号を付して説明を省略し、実施形態１と異なる部分についてのみ説明する。
【０２２７】
視線移動関連値取得装置３２０は、実施形態１と同様、車両に設けられている。視線移動関連値取得装置３２０は、演算処理装置３２１と、記憶部（図示省略）と、アイカメラ３２５とを有する。
【０２２８】
アイカメラ３２５は、車両の運転席に着座した乗員の眼球及び頭部を撮像することにより、前記乗員の視線及び頭部の動きを計測可能に構成されている。すなわち、アイカメラ３２５は、前記乗員の眼球の動きを撮像することにより、前記乗員の視線の移動、すなわち眼球運動を測定し、前記乗員の頭部の動きを撮像することにより、頭部運動を測定する。このように、本実施形態では、ジャイロセンサ等を用いることなく、アイカメラ３２５によって、前記乗員の頭部運動も測定する。アイカメラ３２５によって得られた前記乗員の画像は、図示しない演算装置によって画像処理される。前記演算装置は、画像処理されたデータから、前記乗員の眼球運動及び頭部運動の測定結果を求めて、演算処理装置３２１に出力する。なお、アイカメラ３２５によって得られた画像の画像処理及びデータ処理は、演算処理装置３２１で行ってもよい。
【０２２９】
アイカメラ３２５は、例えば、前記乗員の眼球または瞼の動きなどを検出するカメラと兼用することができる。アイカメラ３２５は、車両に搭載される一般的なドライバモニタリング用の赤外線カメラと同様の構成を有する。そのため、アイカメラ３２５の詳しい説明は、省略する。なお、アイカメラ３２５は、前記乗員の眼球または瞼の動きなどを検出可能な構成であれば、赤外線カメラ以外のカメラであってもよい。
【０２３０】
アイカメラ３２５は、例えば、図示しない車両において、車両の運転席よりも前方に位置するメータパネル３３０に設けられている。詳しくは、アイカメラ３２５は、車両の運転席に着座した乗員の視線及び頭部を検出しやすいように、メータパネル３３０の上部に設けられている。なお、アイカメラ３２５は、前記乗員の視線及び頭部を検出可能な位置であれば、メータパネル３３０以外の位置に設けられていてもよい。
【０２３１】
演算処理装置３２１は、アイカメラ３２５の測定結果に基づいて、前記乗員（被験者）の視線移動に関連する視線移動関連値を取得して出力する。具体的には、演算処理装置３２１は、同一被験者継続データ取得部３４１と、同一被験者視線移動関連値取得部３４２（被験者視線移動関連値取得部）と、協調運動関連値取得部４３と、関係取得部４４と、有効視野関連パラメータ取得部（被験者視線移動関連値出力部）４５とを有する。
【０２３２】
同一被験者継続データ取得部３４１は、アイカメラ３２５から出力された各測定結果を、同一被験者継続データとして取得する。この同一被験者継続データは、アイカメラ３２５によって同一被験者の眼球運動を継続的に計測することにより得られた眼球運動データと、アイカメラ３２５によって同一被験者の頭部運動を継続的に計測することにより得られた頭部運動データとを含む。
【０２３３】
同一被験者視線移動関連値取得部３４２は、同一被験者継続データ取得部３４１が取得した同一被験者継続データに基づいて、被験者の視線移動に関連する値である同一被験者視線移動関連値（被験者視線移動関連値）を取得する。具体的には、同一被験者視線移動関連値取得部３４２は、前記同一被験者継続データの前記眼球運動データにおける眼球移動量を継続的に算出するとともに、前記眼球運動データに対応する前記同一被験者継続データの前記頭部運動データの頭部移動量を継続的に算出し、前記眼球移動量及び前記頭部移動量の和を継続的に求める。また、同一被験者視線移動関連値取得部３４２は、被験者の頭部運動の開始のタイミングと眼球運動の開始のタイミングとを特定し、特定されたタイミングに基づいて、頭部運動及び眼球運動のいずれが先行しているかを判定する。
【０２３４】
ここで、被験者の視線移動量は、実施形態１と同様、該被験者の眼球移動量と頭部移動量との合計によって表される。すなわち、本実施形態においても、前記眼球移動量と前記頭部移動量との和が、被験者の視線移動量である。よって、同一被験者視線移動関連値取得部３４２は、被験者の視線移動量を継続的に求める。
【０２３５】
同一被験者視線移動関連値取得部３４２における前記視線移動量の算出及び運動（眼球運動及び頭部運動）の先行判定は、実施形態１と同様である。そのため、詳しい説明は、省略する。
【０２３６】
同一被験者視線移動関連値取得部３４２で得られた視線移動量及び先行運動情報は、協調運動関連値取得部４３に入力される。協調運動関連値取得部４３は、実施形態１と同様、同一被験者視線移動関連値取得部３４２から出力されたデータに基づいて、被験者の眼球運動及び頭部運動の協調運動に関する協調運動関連値を取得する。
【０２３７】
関係取得部４４は、実施形態１と同様、協調運動関連値取得部４３から出力される頭部運動先行率と視線移動量の平均値とを用いて、頭部運動先行率及び視線移動量の関係を示すデータ（例えば、グラフ、テーブルなど）を作成する。
【０２３８】
有効視野関連パラメータ取得部４５は、実施形態１と同様、関係取得部４４によって取得されたデータに基づいて、頭部運動先行率が所定値（例えば５０％）の場合の視線移動量Ｘ、Ｙ（図８におけるＸ、Ｙと同様）を、有効視野に関連するパラメータとして取得する。なお、本実施形態でも、実施形態１と同様、前記所定値は、４０％から６０％の間の値であってもよい。すなわち、有効視野関連パラメータ取得部４５は、頭部運動先行率と視線移動量との関係において、人の内的状態に応じて視線移動量の違いを検出可能な頭部運動先行率の値であれば、前記所定値として、どのような値を用いてもよい。
【０２３９】
これにより、実施形態１と同様、有効視野関連パラメータ取得部４５で取得された前記パラメータを用いて、人の有効視野を検出することが可能になる。なお、有効視野に関連するパラメータとして取得される前記視線移動量Ｘ、Ｙが、被験者の視線移動に関する同一被験者視線移動関連値（被験者視線移動関連値）である。
【０２４０】
なお、有効視野関連パラメータ取得部４５は、頭部運動先行率と視線移動量との関係を示すデータにおいて、前記頭部運動先行率の前記所定値に対応する視線移動量が複数存在する場合、視線移動量が最も小さい値を有効視野に関連するパラメータとして取得してもよいし、視線移動量が最も大きい値を有効視野に関連するパラメータとして取得してもよい。また、有効視野関連パラメータ取得部４５は、上述のように前記頭部運動先行率の前記所定値に対応する視線移動量が複数存在する場合には、視線移動量が最も小さい値と最も大きい値との中間値を、有効視野に関連するパラメータとして取得してもよいし、それらの視線移動量の平均値を有効視野に関連するパラメータとして取得してもよい。
【０２４１】
また、頭部運動先行率と視線移動量との関係を示すデータの近似曲線において、前記頭部運動先行率の前記所定値に対応する視線移動量Ｘ、Ｙを、有効視野に関連するパラメータとして取得してもよい。
【０２４２】
視線移動関連値取得装置３２０の動作は、実施形態１におけるアイカメラ２５、乗員用ジャイロセンサ２６及び車両用ジャイロセンサ２７の代わりに、車両のメータパネル３３０に設けられたアイカメラ３２５によって乗員の眼球運動及び頭部運動を計測した点以外、実施形態１の視線移動関連値取得装置２０の動作と同様である。よって、視線移動関連値取得装置３２０の動作に関する詳しい説明は、省略する。
【０２４３】
以上より、本実施形態では、車両のメータパネル３３０に設けられたアイカメラ３２５によって乗員の眼球運動及び頭部運動を計測し、その計測結果に基づいて有効視野に関するパラメータを取得することができる。よって、実施形態１のように車両の乗員がアイカメラを装着することなく且つ実施形態１の構成に比べてコンパクトな構成で、前記乗員の有効視野に関するパラメータを容易に取得することができる。
【０２４４】
なお、本実施形態の視線移動関連値取得装置３２０にも、実施形態２、３の視線移動関連値取得装置１２０，２２０の構成を適用してもよい。
【０２４５】
（その他の実施形態）
以上、本発明の実施の形態を説明したが、上述した実施の形態は本発明を実施するための例示に過ぎない。よって、上述した実施の形態に限定されることなく、その趣旨を逸脱しない範囲内で上述した実施の形態を適宜変形して実施することが可能である。
【０２４６】
前記各実施形態では、同一被験者視線移動関連値は、視線移動量算出部５４で算出された同一の被験者の視線移動量である。しかしながら、前記同一被験者視線移動関連値は、例えば、サッカードに関する指標（サッカードサイズ、サッカード時間、サッカード速度など）、頭部運動に関する指標（頭部移動量、頭部運動時間、頭部運動速度など）等、同一の被験者の視線移動に関連する値であれば、他の値であってもよい。
【０２４７】
なお、前記サッカードサイズは、眼球移動量と同じであり、前記サッカード時間は、眼球運動特定部５１によって眼球運動として特定された区間における時間の長さを意味する。また、前記サッカード速度は、眼球運動特定部５１によって眼球運動と特定された区間における眼球の回転角速度の平均を意味する。前記頭部運動時間は、頭部運動特定部５２によって頭部運動と特定された区間における時間の長さを意味する。また、前記頭部運動速度は、頭部運動特定部５２によって頭部運動と特定された区間における頭部の回転角速度の平均を意味する。
【０２４８】
前記各実施形態では、協調運動関連値は、頭部運動先行率算出部６２で算出された同一の被験者の頭部運動先行率である。しかしながら、前記協調運動関連値は、例えば、頭部運動の開始のタイミングと眼球運動の開始のタイミングとの時間差など、同一の被験者の眼球運動及び頭部運動の協調運動に関する値であれば、他の値であってもよい。
【０２４９】
前記各実施形態では、データ抽出部６１によって抽出され且つ頭部運動先行率算出部６２によって頭部運動先行率が算出された所定数のデータにおいて、視線移動量の平均値を、視線移動量の代表値としている。しかしながら、視線移動量の代表値は、前記所定数のデータにおける中央値など、該所定数のデータを代表する値であれば、どのような値であってもよい。
【０２５０】
前記各実施形態では、眼球運動特定部５１によって特定された眼球運動のうち、最初に回転角速度の絶対値が閾値αを越えた時点を、眼球運動の開始と判断する。また、頭部運動特定部５２によって特定された頭部運動のうち、最初に回転角速度の絶対値が閾値γを越えた時点を、頭部運動の開始と判断する。しかしながら、眼球運動の開始は、眼球の運動に関する他のパラメータを用いて判定されてもよい。同様に、頭部運動の開始は、頭部の運動に関する他のパラメータを用いて判定されてもよい。
【０２５１】
前記各実施形態では、乗員の頭部運動を計測するために乗員用ジャイロセンサ２６が用いられ、車両１の挙動を計測するために車両用ジャイロセンサ２７が用いられている。しかしながら、乗員用ジャイロセンサ２６は、乗員の頭部運動を計測可能なセンサであれば他のセンサであってもよい。また、車両用ジャイロセンサ２７は、車両１の挙動を計測可能なセンサであれば他のセンサであってもよい。なお、ジャイロセンサの代わりに、慣性計測装置（ＩＭＵ：Ｉｎｅｒｔｉａｌ  ｍｅａｓｕｒｅｍｅｎｔ  ｕｎｉｔ）を用いた場合には、加減速を検出することができる。
【０２５２】
前記実施形態１では、視線移動関連値取得装置２０によって取得された有効視野に関連するパラメータは、被験者が運動または機械の操作を行う際の被験者の内的状態の判断などに利用可能である。また、前記取得したパラメータは、運動または機械の操作を行う際の内的状態に関し、被験者同士の相対評価等にも利用することができる。さらに、前記取得したパラメータは、仮想空間での動作または作業における被験者の内的状態の評価及び管理にも利用することができる。同様に、実施形態２から４における視線移動関連値取得装置１２０，２２０，３２０によって取得された有効視野に関連するパラメータも、被験者が運動または機械の操作を行う際の被験者の内的状態の判断、被験者同士の内的状態の相対評価、または、仮想空間での動作または作業における被験者の内的状態の評価及び管理等に利用可能である。
【０２５３】
前記各実施形態で実行される視線移動関連値取得方法を、コンピュータとしての演算処理装置を用いて、プログラムによって実行してもよい。詳しくは、前記プログラムは、前記コンピュータに、被験者の視線移動に関する被験者視線移動関連値を取得させ、前記取得させた前記被験者視線移動関連値に対する、前記被験者の眼球運動及び頭部運動の協調運動に関する協調運動関連値を取得させ、前記取得させた、前記被験者の視線移動に関する前記被験者視線移動関連値と、前記取得させた、前記被験者の眼球運動及び頭部運動の協調運動に関する前記協調運動関連値との関係から、前記被験者の眼球運動及び頭部運動の協調運動に関する前記協調運動関連値が所定の値の場合における、前記被験者の視線移動に関する前記被験者視線移動関連値を出力させる（第１の構成）。
【０２５４】
また、前記プログラムは、上述の第１の構成において、前記コンピュータに、継続的に、同一の被験者に関する複数のデータを含む同一被験者継続データを取得させ、前記同一被験者継続データから、前記被験者の視線移動に関する値を、同一被験者視線移動関連値として取得させ、前記取得させた前記被験者視線移動関連値に対する、前記被験者の眼球運動及び頭部運動の協調運動に関する値を、前記協調運動関連値として取得させる（第２の構成）。
【０２５５】
また、前記プログラムは、上述の第２の構成において、前記コンピュータに、前記取得させた、前記被験者の視線移動に関する前記被験者視線移動関連値に対する、前記被験者の眼球運動及び頭部運動の協調運動に関する前記協調運動関連値を、前記取得させた、前記被験者の視線移動に関する前記被験者視線移動関連値の大小の順番に並べさせ、前記順番に並んだ、前記被験者の眼球運動及び頭部運動の協調運動に関する前記協調運動関連値から、連続した所定数の値を抽出してそれらの代表値を算出させるとともに、前記抽出された、前記被験者の眼球運動及び頭部運動の協調運動に関する前記協調運動関連値に対応する、前記被験者の視線移動に関する前記被験者視線移動関連値から、それらの代表値を算出させ、前記算出された、前記被験者の眼球運動及び頭部運動の協調運動に関する前記協調運動関連値の前記代表値と、前記算出された、前記被験者の視線移動に関する前記被験者視線移動関連値の代表値とから、前記被験者の視線移動に関する前記被験者視線移動関連値と、前記被験者の眼球運動及び頭部運動の協調運動に関する前記協調運動関連値との前記関係を求めさせる（第３の構成）。
【０２５６】
なお、上述の第１から第３の構成のうちいずれか一つの構成において、前記被験者の視線移動に関する前記被験者視線移動関連値は、前記被験者における視線の移動量である（第４の構成）。
【０２５７】
また、上述の第１から第４の構成のうちいずれか一つの構成において、前記被験者の眼球運動及び頭部運動の協調運動に関する前記協調運動関連値は、前記協調運動において前記頭部運動の開始が前記眼球運動の開始よりも先行する割合である頭部運動先行率である（第５の構成）。
【０２５８】
また、上述の第５の構成において、前記被験者の眼球運動及び頭部運動の協調運動に関する前記協調運動関連値における前記所定の値は、前記頭部運動先行率が５０％である（第６の構成）。
【産業上の利用可能性】
【０２５９】
本発明は、同一の被験者の視線移動に関する視線移動関連値を取得する視線移動関連値取得装置に利用可能である。
【符号の説明】
【０２６０】
１  車両（輸送機器）
２  車体
７  シート
８  パワーユニット
９  ＥＣＵ
１８  情報出力部
２０、１２０、２２０、３２０  視線移動関連値取得装置
２１、１２１、２２１、３２１  演算処理装置
２２、２２３  記憶部
２５、３２５  アイカメラ
２６  乗員用ジャイロセンサ（頭部運動計測部）
２７  車両用ジャイロセンサ（輸送機器運動計測部）
２８、２９  無線通信機
３１  ヘルメット
４１、２４１、３４１  同一被験者継続データ取得部
４２、２４２、３４２  同一被験者視線移動関連値取得部（被験者視線移動関連値取得部）
４３、１４３  協調運動関連値取得部
４４、２４４  関係取得部
４５  有効視野関連パラメータ取得部（被験者視線移動関連値出力部）
５１  眼球運動特定部
５２  頭部運動特定部
５３  運動関連付部
５４  視線移動量算出部
５５  運動先行判定部
６１  データ抽出部
６２  頭部運動先行率算出部
６３、１６３  視線移動量平均算出部
【図１】
2019034723.tif 000003
【図２】
2019034723.tif 000004
【図３】
2019034723.tif 000005
【図４】
2019034723.tif 000006
【図５】
2019034723.tif 000007
【図６】
2019034723.tif 000008
【図７】
2019034723.tif 000009
【図８】
2019034723.tif 000010
【図９】
2019034723.tif 000011
【図１０】
2019034723.tif 000012
【図１１】
2019034723.tif 000013
【図１２】
2019034723.tif 000014
【図１３】
2019034723.tif 000015
【図１４】
2019034723.tif 000016
【図１５】
2019034723.tif 000017
【図１６】
2019034723.tif 000018
【図１７】
2019034723.tif 000019
【図１８】
2019034723.tif 000020
【図１９】
2019034723.tif 000021
【図２０】
2019034723.tif 000022